(57)【特許請求の範囲】
【請求項１】
演出手段と、
上皿ユニットと、
下皿ユニットと、
を備えた遊技台であって、
前記下皿ユニットの第一の壁における第一の部位が、該第一の壁における第二の部位よりも、手前側に設けられており、
前記演出手段は、前記第二の部位の手前側であって、少なくとも前記第二の部位と前記第一の部位との段差位置に設けられており、
前記上皿ユニットは、遊技球を貯留可能な領域（以下、「第一の貯留領域」という。）が設けられたユニットであり、
前記下皿ユニットは、前記第一の貯留領域に貯留しきれない遊技球を貯留可能な領域（以下、「第二の貯留領域」という。）が設けられたユニットであり、
前記第一の壁が、前記下皿ユニットの第二の壁と向かい合う位置にあるように構成されており、
前記第一の壁は、遊技者側に設けられた壁であり、
前記第二の壁は、第一の排出口が設けられた壁であり、
前記第一の排出口とは、前記第一の貯留領域に貯留しきれない遊技球が排出される出口のことであり、
前記第一の排出口から排出された遊技球が前記第二の貯留領域へ貯留される場合があるように構成されており、
前記演出手段によって前記第二の壁の一部がオーバーラップされることにより、前記第一の排出口が該演出手段の後ろに設けられているように構成され、
前記下皿ユニットは、第二の排出口が設けられたユニットであり、
前記第二の排出口とは、前記下皿ユニットに貯留されている遊技球を前記下皿ユニットの外へ排出する出口のことであり、
前記第二の排出口は、前記第二の部位と前記第一の排出口との間に設けられている、
ことを特徴とする遊技台。
【請求項２】
請求項１に記載の遊技台であって、
前記第二の排出口は、前記演出手段の後方側に設けられている、
ことを特徴とする遊技台。
【請求項３】
請求項１または２に記載の遊技台であって、
前記演出手段が、前記上皿ユニットと前記下皿ユニットに亘って設けられている、
ことを特徴とする遊技台。
【請求項４】
請求項１乃至３のいずれか一項に記載の遊技台であって、
前記第二の壁は、前記第一の壁の方向に突出しない、
ことを特徴とする遊技台。
【請求項５】
請求項１乃至４のいずれか一項に記載の遊技台であって、
遊技盤と、
第二の演出手段と、
を備え、
前記遊技盤は、前記第二の演出手段が設けられた盤であり、
前記演出手段とは、演出操作手段のことであり、
前記演出操作手段の操作があることにより、前記第二の演出手段によって行われる演出の態様が変化する、
ことを特徴とする遊技台。
【請求項６】
請求項１乃至５のいずれか一項に記載の遊技台であって、
前記上皿ユニットが前記下皿ユニットと別体である、
ことを特徴とする遊技台。
【請求項７】
請求項１乃至６のいずれか一項に記載の遊技台であって、
前記演出手段は、出音手段を含む、
ことを特徴とする遊技台。
【請求項８】
請求項１乃至７のいずれか一項に記載の遊技台であって、
前記演出手段は、発光手段を含む、
ことを特徴とする遊技台。
【発明の詳細な説明】
【技術分野】
【０００１】
本発明は、パチンコ機やスロットマシン（パチスロ機）、封入式遊技機に代表される遊技台に関する。
【背景技術】
【０００２】
従来、貯留皿を有する遊技台があった（特許文献１参照）。
【先行技術文献】
【特許文献】
【０００３】
【特許文献１】特開２００８−２００３０２号公報
【発明の概要】
【発明が解決しようとする課題】
【０００４】
しかしながら、従来の遊技台は、貯留皿について改良の余地がある。
【０００５】
本発明の目的は、貯留皿に特徴を持った遊技台を提供することにある。
【課題を解決するための手段】
【０００６】
本発明は上記の目的を達成するために、演出手段と、上皿ユニットと、下皿ユニットと、を備えた遊技台であって、前記下皿ユニットの第一の壁における第一の部位が、該第一の壁における第二の部位よりも、手前側に設けられており、前記演出手段は、前記第二の部位の手前側であって、少なくとも前記第二の部位と前記第一の部位との段差位置に設けられており、前記上皿ユニットは、遊技球を貯留可能な領域（以下、「第一の貯留領域」という。）が設けられたユニットであり、前記下皿ユニットは、前記第一の貯留領域に貯留しきれない遊技球を貯留可能な領域（以下、「第二の貯留領域」という。）が設けられたユニットであり、前記第一の壁が、前記下皿ユニットの第二の壁と向かい合う位置にあるように構成されており、前記第一の壁は、遊技者側に設けられた壁であり、前記第二の壁は、第一の排出口が設けられた壁であり、前記第一の排出口とは、前記第一の貯留領域に貯留しきれない遊技球が排出される出口のことであり、前記第一の排出口から排出された遊技球が前記第二の貯留領域へ貯留される場合があるように構成されており、前記演出手段によって前記第二の壁の一部がオーバーラップされることにより、前記第一の排出口が該演出手段の後ろに設けられているように構成され、前記下皿ユニットは、第二の排出口が設けられたユニットであり、前記第二の排出口とは、前記下皿ユニットに貯留されている遊技球を前記下皿ユニットの外へ排出する出口のことであり、前記第二の排出口は、前記第二の部位と前記第一の排出口との間に設けられている、ことを特徴とする。
【発明の効果】
【０００７】
本発明によれば、貯留皿に特徴を持った遊技台を実現することができる。
【図面の簡単な説明】
【０００８】
【図１】パチンコ機１００を正面側（遊技者側）から見た外観斜視図である。
【図２】図１のパチンコ機１００を背面側から見た外観図である。
【図３】遊技盤２００を正面から見た略示正面図である。
【図４】図１に示したパチンコ機１００の外観斜視図を簡略化して示す図である。
【図５】本発明の第一の実施例に係る貯留皿の斜視図である。
【図６】図５の貯留皿を示す図であって、（ａ）は平面図であり、（ｂ）は正面図であり、（ｃ）は（ｂ）のＡ−Ａ断面図である。
【図７】本発明の第二の実施例に係る貯留皿の斜視図である。
【図８】図７の貯留皿を示す図であって、（ａ）は平面図であり、（ｂ）は正面図であり、（ｃ）は（ｂ）のＡ−Ａ断面図である。
【図９】本発明の第三の実施例に係る貯留皿の斜視図である。
【図１０】図９の貯留皿を示す図であって、（ａ）は平面図であり、（ｂ）は正面図であり、（ｃ）は（ｂ）のＡ−Ａ断面図である。
【図１１】本発明の第四の実施例に係る貯留皿を示す図であって、（ａ）は斜視図であり、（ｂ）は平面図である。
【図１２】図１１の貯留皿を示す図であって、（ａ）は正面図であり、（ｂ）は（ａ）のＡ−Ａ断面図であり、（ｃ）は（ａ）のＢ−Ｂ断面図である。
【図１３】本発明の第五の実施例に係る貯留皿を示す図であって、（ａ）は斜視図であり、（ｂ）は平面図である。
【図１４】図１３の貯留皿を示す図であって、（ａ）は正面図であり、（ｂ）は（ａ）のＡ−Ａ断面図であり、（ｃ）は（ａ）のＢ−Ｂ断面図である。
【図１５】本発明の第六の実施例に係る貯留皿の斜視図である。
【図１６】図１５の貯留皿を示す図であって、（ａ）は平面図であり、（ｂ）は正面図であり、（ｃ）は（ｂ）のＡ−Ａ断面図である。
【図１７】本発明の第七の実施例に係る貯留皿の斜視図である。
【図１８】図１７の貯留皿を示す図であって、（ａ）は平面図であり、（ｂ）は正面図であり、（ｃ）は（ｂ）のＡ−Ａ断面図である。
【図１９】本発明の第八の実施例に係る貯留皿の斜視図である。
【図２０】図１９の貯留皿を示す図であって、（ａ）は平面図であり、（ｂ）は正面図であり、（ｃ）は（ｂ）のＡ−Ａ断面図である。
【図２１】本発明の第九の実施例に係る貯留皿を示す図であって、（ａ）は斜視図であり、（ｂ）は平面図である。
【図２２】図２１の貯留皿を示す図であって、（ａ）は正面図であり、（ｂ）は（ａ）のＡ−Ａ断面図であり、（ｃ）は（ａ）のＢ−Ｂ断面図である。
【図２３】図２１（ａ）に示した貯留皿８１２８において、図２２（ａ）とは異なる断面方向を示す平面図である。
【図２４】（ａ）は、図２３のＡ−Ａ断面図であり、（ｂ）は、本発明の第十の実施例に係る貯留皿の、図２３のＡ−Ａで示す位置での断面図であり、（ｃ）は、本発明の第十一の実施例に係る貯留皿の、図２３のＡ−Ａで示す位置での断面図であり、（ｄ）は、本発明の第十二の実施例に係る貯留皿の、図２３のＡ−Ａで示す位置での断面図である。
【図２５】（ａ）は、本発明の第十三の実施例に係る貯留皿の、図２３のＡ−Ａで示す位置での断面図であり、（ｂ）は、図２３のＢ−Ｂ断面図であり、（ｃ）は、本発明の第十四の実施例に係る貯留皿の、図２３のＢ−Ｂで示す位置での断面図である。
【図２６】本発明の第十五の実施例に係る貯留皿について説明する図であって、（ａ）は本発明の第十五の実施例に係る貯留皿を備えたパチンコ機の正面図であり、（ｂ）は本発明の第十五の実施例に係る貯留皿を備えたパチンコ機の上皿および下皿の近傍を拡大して示す斜視図であり、（ｃ）は本発明の第十五の実施例に係る貯留皿を備えたパチンコ機の上皿の近傍を拡大して示す平面図であり、（ｄ）は本発明の第十五の実施例に係る貯留皿を備えたパチンコ機の（ａ）におけるＡ−Ａ断面図である。
【図２７】本発明の第十六の実施例に係る貯留皿について説明する図であって、（ａ）は本発明の第十六の実施例に係る貯留皿を備えたパチンコ機の正面図であり、（ｂ）は本発明の第十六の実施例に係る貯留皿を備えたパチンコ機の上皿および下皿の近傍を拡大して示す斜視図であり、（ｃ）は本発明の第十六の実施例に係る貯留皿を備えたパチンコ機の上皿の近傍を拡大して示す平面図であり、（ｄ）は本発明の第十六の実施例に係る貯留皿を備えたパチンコ機の（ａ）におけるＡ−Ａ断面図である。
【図２８】本発明の第十七の実施例に係る貯留皿について説明する図であって、（ａ）は本発明の第十七の実施例に係る貯留皿を備えたパチンコ機の正面図であり、（ｂ）は本発明の第十七の実施例に係る貯留皿を備えたパチンコ機の上皿および下皿の近傍を拡大して示す斜視図であり、（ｃ）は本発明の第十七の実施例に係る貯留皿を備えたパチンコ機の上皿の近傍を拡大して示す平面図であり、（ｄ）は本発明の第十七の実施例に係る貯留皿を備えたパチンコ機の（ａ）におけるＡ−Ａ断面図である。
【図２９】本発明の第十八の実施例に係る貯留皿について説明する図であって、（ａ）は本発明の第十八の実施例に係る貯留皿を備えたパチンコ機の正面図であり、（ｂ）は本発明の第十八の実施例に係る貯留皿を備えたパチンコ機の上皿および下皿の近傍を拡大して示す斜視図であり、（ｃ）は本発明の第十八の実施例に係る貯留皿を備えたパチンコ機の上皿の近傍を拡大して示す平面図であり、（ｄ）は本発明の第十八の実施例に係る貯留皿を備えたパチンコ機の（ａ）におけるＡ−Ａ断面図である。
【図３０】本発明の第十九の実施例に係る貯留皿について説明する図であって、（ａ）は本発明の第十九の実施例に係る貯留皿を備えたパチンコ機の正面図であり、（ｂ）は本発明の第十九の実施例に係る貯留皿を備えたパチンコ機の上皿および下皿の近傍を拡大して示す斜視図であり、（ｃ）は本発明の第十九の実施例に係る貯留皿を備えたパチンコ機の上皿の近傍を拡大して示す平面図であり、（ｄ）は本発明の第十九の実施例に係る貯留皿を備えたパチンコ機の（ａ）におけるＡ−Ａ断面図である。
【図３１】本発明が適用可能なスロットマシンについて説明する図である。
【発明を実施するための形態】
【０００９】
以下、図面を用いて、本発明の実施形態に係る遊技台（例えば、パチンコ機１００等の弾球遊技機やスロット機等の回胴遊技機）について詳細に説明する。
【００１０】
＜全体構成＞
まず、図１を用いて、本発明の実施形態１に係るパチンコ機１００の全体構成について説明する。なお、同図はパチンコ機１００を正面側（遊技者側）から見た外観斜視図である。
【００１１】
パチンコ機１００は、外部的構造として、外枠１０２と、本体１０４と、前面枠扉１０６と、球貯留皿付扉１０８と、発射装置１１０と、遊技盤２００と、をその前面に備える。
【００１２】
外枠１０２は、遊技機設置営業店に設けられた設置場所（島設備等）へと固定させるための縦長方形状から成る木製の枠部材である。
【００１３】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部を有している。
【００１４】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部１１６とした扉部材である。なお、この前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１５】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を払出口７０５を介して下皿１２８へと排出させる球抜ボタン１３０と、遊技者の操作によって下皿１２８に貯留された遊技球を排出口７０６から不図示の遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６（図３参照）の演出態様に変化を与えるチャンスボタン１３６と、チャンスボタン１３６を発光させるチャンスボタンランプ１３８と、遊技店に設置された不図示のカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１６】
発射装置１１０は、本体１０４の下方に取り付けられ、球発射ハンドル１３４が遊技者に操作されることによって回動する発射杆（不図示）と、遊技球を発射杆（不図示）の先端で打突する発射槌（不図示）と、を備える。
【００１７】
遊技盤２００は、前面に遊技領域１２４を有し、本体１０４の空間部に臨むように、所定の固定部材を用いて本体１０４に着脱自在に装着されている。なお、遊技領域１２４は、遊技盤２００を本体１０４に装着した後、開口部１１６から観察することができる。
【００１８】
図２は、図１のパチンコ機１００を背面側から見た外観図である。
【００１９】
図２に示すように、パチンコ機１００の背面上部には、上方に開口した開口部を有し、遊技球を一時的に貯留するための球タンク１５０と、球タンク１５０の下方に位置し、球タンク１５０の底部に形成した連通孔を通過して落下する球を背面右側に位置する払出装置１５２に導くためのタンクレール１５４とを配設している。
【００２０】
タンクレール１５４はツインレールとも称され、例えば第１副基板１６０と少なくとも一部が前後方向に重畳するように配置されている。本実施の形態によるパチンコ機１００では、部材の配置領域を節約するため、制御基板にノイズを与える恐れのあるタンクレール１５４が第１副基板１６０に重畳して配置されている。しかしながら、パチンコ機１００は、タンクレール１５４にノイズ対策が施されている場合、タンクレール１５４と第１副基板１６０とが重畳して配置されていても、第１副基板１６０のノイズによる影響を軽減することができる場合がある。また、タンクレール１５４にはノイズ対策が施されているので、タンクレール１５４の側面を絶縁性の透明部材で形成することができる。これにより、タンクレール１５４がパチンコ機１００に設置された場合に、パチンコ機１００背面側に位置するタンクレール１５４の側面を透して、タンクレール１５４での遊技球の流下状況を目視により確認することができる場合がある。
【００２１】
払出装置１５２は、筒状の部材からなり、その内部には、不図示の払出モータとスプロケットと払出センサとを備えている。スプロケットは、払出モータによって回転可能に構成されており、タンクレール１５４および球通路１９４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２２】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部６００へ出力する。なお、この払出センサを通過した遊技球は、不図示の球レールを通過してパチンコ機１００の表側に配設した払出通路から上皿１２６に到達するように構成しており、パチンコ機１００は、この構成により遊技者に対して球の払い出しを行う。
【００２３】
払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源制御部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４、および払出制御部６００とカードユニットとの信号の送受信を行うＣＲインタフェース部１８６を配設している。発射基板ケース１７６は電源基板ケース１８４の下方に広がって設けられている。電源基板ケース１８４は、その背面側から見て、発射基板ケース１７６の一部に重なって配置されている。電源基板ケース１８４は払出基板ケース１７２の下方に広がって設けられている。払出基板ケース１７２は、背面側から見て、電源基板ケース１８４および発射基板ケース１７６のそれぞれの一部に重なって配置されている。ＣＲインタフェース部１８６は、例えばＤ−ｓｕｂ（Ｄ−ｓｕｂｍｉｎｉａｔｕｒｅ）コネクタで構成されたＣＲユニット接続部１８６ａを有している。ＣＲインタフェース部１８６は、ＣＲユニット接続部１８６ａを介して払出制御部６００とカードユニットとの信号の送受信を行うようになっている。
【００２４】
同様に、外部と接続の必要がある他の構成（例えば不図示の電源コード）についても、本体１０４に備えておくことが好ましい。
【００２５】
図３は、遊技盤２００を正面から見た略示正面図である。
【００２６】
遊技盤２００には、外レール２０２と内レール２０４とを配設し、遊技球が転動可能な遊技領域１２４を区画形成している。
【００２７】
遊技領域１２４の略中央には、演出装置２０６を配設している。この演出装置２０６には、略中央に装飾図柄表示装置２０８（液晶表示装置２０８）を配設し、装飾図柄表示装置２０８の下部に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２と、を配設し、装飾図柄表示装置２０８の右側に演出可動体２２４を配設している。なお、以下、普通図柄を「普図」、特別図柄を「特図」と称する場合がある。
【００２８】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成するが、本発明はこれに限られるものではなく、ＥＬ等を用いた表示装置を用いてもよい。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２９】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００３０】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００３１】
また、この演出装置２０６の周囲には、一般入賞口２２６と、普図始動口２２８と、第１特図始動口２３０と、第２特図始動口２３２と、可変入賞口２３４と、を配設している。
【００３２】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。
【００３３】
なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３４】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の玉検出センサが検出した場合、パチンコ機１００は、普図表示装置２１０による普図変動遊技を開始する。
【００３５】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００３６】
第２特図始動口２３２は、電動チューリップ（電チュー）と呼ばれ、本実施例では第１特図始動口２３０の真下に１つだけ配設している。この第２特図始動口２３２は、左右に開閉自在な羽根２３２ａを備え、羽根２３２ａの閉鎖中は球の入球が不可能であり、普図変動遊技に当選し、普図表示装置２１０が当たり図柄を停止表示した場合に羽根２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００３７】
可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、特図変動遊技に当選して特図表示装置２１２、２１４が大当たり図柄を停止表示した場合に扉部材２３４ａが所定の時間間隔（例えば、開放時間２９秒、閉鎖時間１．５秒）、所定の回数（例えば１５回）で開閉する。
【００３８】
可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３９】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００４０】
このパチンコ機１００は、遊技者が上皿１２６に貯留している球を発射レールの発射位置に供給し、遊技者の球発射ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００４１】
上述の打球方向変換部材２３６や遊技釘２３８などの遊技球が接触可能な部品が、遊技領域に配置されると共に発射された遊技球が接触可能な遊技部品である。
【００４２】
＜演出装置２０６＞
次に、パチンコ機１００の演出装置２０６について説明する。演出装置２０６は、第１副制御部４００や第２副制御部５００により駆動制御される。
【００４３】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００４４】
ワープ装置２４２は、演出装置２０６の左上方に設けたワープ入口２４２ａに入った遊技球を演出装置２０６の前面下方のステージ２４４にワープ出口２４２ｂから排出する。
【００４５】
ステージ２４４は、ワープ出口２４２ｂから排出された球や、遊技盤２００の遊技釘２３８などによって乗り上げた球などが転動可能である。転動領域であるステージ２４４上で、受入孔２４４ｂに進入した遊技球は放出部である放出孔２４４ａから放出され、放出した球が第１特図始動口２３０へ入球し易くなる場合を設けている。
【００４６】
演出可動体２２４は、本実施例では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００４７】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。
【００４８】
遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。
【００４９】
なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００５０】
＜貯留皿の構成＞
ここで、本発明に係る貯留皿の構成の一例について説明する。
【００５１】
図４は、図１に示したパチンコ機１００の外観斜視図を簡略化して示す図である。図１と同じ構成には同じ参照番号を付してある。
【００５２】
なお、図４においては、遊技者の操作によって下皿１２８に貯留された遊技球を排出口７０６から排出させる球排出レバー１３２の図示を省略している。
【００５３】
パチンコ機１００の前面（遊技者側）には、遊技球を貯留可能な上皿１２６および下皿１２８を設けている。
【００５４】
上皿１２６は、例えば、払出装置１５２によって払出された遊技媒体としての遊技球が流入し、この流入した遊技球を貯留可能なものである。
【００５５】
下皿１２８は、例えば、球抜ボタン１３０を操作することで上皿１２６から排出された遊技球が流入し、また、上皿１２６が満杯のときに払出装置１５２によって払出された遊技球が流入し、この流入した遊技球を貯留可能なものである。
【００５６】
上皿１２６および下皿１２８が満杯の場合、パチンコ機１００は、発射装置１１０による遊技球の発射を停止する場合があるので、遊技者は、適宜、球排出レバー１３２を操作して遊技球を排出口７０６から排出して下皿１２８が満杯にならないようにするのが望ましい。
【００５７】
以下、本発明に係る貯留皿をパチンコ機１００の下皿に適用する場合を例に説明するが、図５から図２５を参照して後述する各実施例の貯留皿は、上皿１２６、下皿１２８または遊技台に備える如何なる貯留皿にも適用可能なものである。
【００５８】
＜＜第一の実施例＞＞
図５は、本発明の第一の実施例に係る貯留皿の斜視図である。
【００５９】
図６は、図５の貯留皿を示す図であって、（ａ）は平面図であり、（ｂ）は正面図であり、（ｃ）は（ｂ）のＡ−Ａ断面図である。
【００６０】
貯留皿１２８は、底面７０４に対してほぼ垂直に立ちあがり周囲を囲う壁部７００、７０１、７０２および７０３を有して構成される。なお、壁部７００、７０１、７０２および７０３は、底面７０４に対して斜めに立ち上がるものであってもよい。底面７０４、壁部７００、７０１、７０２および７０３は一体で形成されている。底面７０４、壁部７００、７０１、７０２および７０３の何れか一つ又は何れか複数を他と別体で形成してもよい。
【００６１】
壁部７００と壁部７０３は、互いに向かい合って形成され、壁部７０１と壁部７０２は、互いに向かい合って形成されている。
【００６２】
壁部７００は払出口７０５を有し、払出口７０５から払出された遊技球は、底面７０４、壁部７００、７０１、７０２および７０３で囲まれた領域に貯留される。壁部７００、７０１、７０２および７０３のそれぞれにおいて、遊技球を貯留する領域側の面を内面と呼び、反対側の面を外面と呼ぶ。
【００６３】
壁部７００、７０１および７０２の内面はほぼ平面であり、壁部７０３の内面は、逆Ｓ字状の曲面を形成している。なお、壁部７００、７０１、７０２および７０３の内面は平面でもよいし、曲面でもよい。また、壁部７００、７０１、７０２および７０３の内面は複数の面で形成するものでもよい。また、壁部７００、７０１、７０２および７０３の内面が曲面である場合、面全体を同一の曲率で形成するものでもよいし、複数の異なる曲率で形成するものでもよい。また、壁部７００、７０１、７０２および７０３の内面が曲面である場合、内面側に膨らむものでもよいし、外面側に膨らむものでもよい。また、壁部７００、７０１、７０２および７０３の内面を複数の面で形成する場合、その複数の面は、全てが平面でもよいし、全てが曲面でもよいし、平面の面と曲面の面が混在するものでもよい。なお、各壁部の外面も同様である。
【００６４】
壁部７０３の内面は、面７０３ａと面７０３ｂの間に凸部７０３ｃを有する。凸部７０３ｃは、壁部７００の内面である面７００ａに最も近い。凸部７０３ｃと面７００ａとの距離Ｌ１は、遊技球の直径よりも小さい。なお、凸部７０３ｃと面７００ａとの距離Ｌ１は、遊技球の直径と等しくてもよいし、遊技球の直径よりも大きくてもよい。
【００６５】
壁部７００の払出口７０５は、壁部７０３の凸部７０３ｃと向かい合わない位置に設けている。なお、壁部７００の払出口７０５は、壁部７０３の凸部７０３ｃと向かい合う位置に設けてもよいし、壁部７０３の凸部７０３ｃと少なくとも一部が向かい合う位置に設けてもよいし、壁部７０３の凸部７０３ｃと全部が向かい合う位置に設けてもよい。
【００６６】
底面７０４の排出口７０６は、壁部７００の払出口７０５と壁部７０３の面７０３ｂとの間に設けている。なお、底面７０４の排出口７０６は、壁部７００の払出口７０５と壁部７０３の面７０３ｂとの間に設けなくてもよいし、壁部７００の払出口７０５と壁部７０３の面７０３ｂとの間に少なくとも一部を設けてもよい。また、底面７０４の排出口７０６は、壁部７０３の凸部７０３ｃと壁部７００の面７００ａとの間に設けていない。なお、底面７０４の排出口７０６は、壁部７０３の凸部７０３ｃと壁部７００の面７００ａとの間に設けなくてもよいし、壁部７０３の凸部７０３ｃと壁部７００の面７００ａとの間に少なくとも一部を設けてもよい。
【００６７】
なお、この第一の実施例においては、排出口７０６と向き合う壁部７０３の面７０３ｂが、排出口７０６と向き合う位置で排出口７０６から離れるように凹んでいる。
【００６８】
なお、この第一の実施例においては、壁部７０３の外面は遊技者側に突出しいる。
【００６９】
なお、この第一の実施例においては、払出口７０５と向き合う壁部７０３の面７０３ｂが、排出口７０５と向き合う位置で排出口７０５から離れるように凹んでいる。
【００７０】
＜＜第二の実施例＞＞
図７は、本発明の第二の実施例に係る貯留皿の斜視図である。
【００７１】
図８は、図７の貯留皿を示す図であって、（ａ）は平面図であり、（ｂ）は正面図であり、（ｃ）は（ｂ）のＡ−Ａ断面図である。
【００７２】
貯留皿１１２８は、底面１７０４に対してほぼ垂直に立ちあがり周囲を囲う壁部１７００、１７０１、１７０２および１７０３を有して構成される。なお、壁部１７００、１７０１、１７０２および１７０３は、底面１７０４に対して斜めに立ち上がるものであってもよい。底面１７０４、壁部１７００、１７０１、１７０２および１７０３は一体で形成されている。底面１７０４、壁部１７００、１７０１、１７０２および１７０３の何れか一つ又は何れか複数を他と別体で形成してもよい。
【００７３】
壁部１７００と壁部１７０３は、互いに向かい合って形成され、壁部１７０１と壁部１７０２は、互いに向かい合って形成されている。
【００７４】
壁部１７００は払出口１７０５を有し、払出口１７０５から払出された遊技球は、底面１７０４、壁部１７００、１７０１、１７０２および１７０３で囲まれた領域に貯留される。壁部１７００、１７０１、１７０２および１７０３のそれぞれにおいて、遊技球を貯留する領域側の面を内面と呼び、反対側の面を外面と呼ぶ。
【００７５】
壁部１７０１、１７０２および１７０３の内面はほぼ平面であり、壁部１７００の内面は、面の向きが異なる二つの面１７００ａおよび１７００ｂを有し、面１７００ａと面１７００ｂが接する箇所で凸部１７００ｃを形成している。なお、壁部１７００、１７０１、１７０２および１７０３の内面は平面でもよいし、曲面でもよい。また、壁部１７００、１７０１、１７０２および１７０３の内面は複数の面で形成するものでもよい。また、壁部１７００、１７０１、１７０２および１７０３の内面が曲面である場合、面全体を同一の曲率で形成するものでもよいし、複数の異なる曲率で形成するものでもよい。また、壁部１７００、１７０１、１７０２および１７０３の内面が曲面である場合、内面側に膨らむものでもよいし、外面側に膨らむものでもよい。また、壁部１７００、１７０１、１７０２および１７０３の内面を複数の面で形成する場合、その複数の面は、全てが平面でもよいし、全てが曲面でもよいし、平面の面と曲面の面が混在するものでもよい。なお、各壁部の外面も同様である。
【００７６】
凸部１７００ｃは、壁部１７０３の内面である面１７０３ａに最も近い。
【００７７】
壁部１７００の払出口１７０５は、凸部１７００ｃよりも凹んだ（凸部１７００ｃよりも面１７０３ａから離れた）面１７００ａに設けている。パチンコ機１００の内部から払出口１７０５に通じる通路は、面１７００ａと垂直になるように形成している。なお、パチンコ機１００の内部から払出口１７０５に通じる通路は、面１７０３ａと垂直になるように設けてもよいし、面１７０３ａと垂直になるように設けてもよいし、面１７００ｂと垂直になるように設けてもよい。
【００７８】
底面１７０４の排出口１７０６は、壁部１７００の面１７００ｂと壁部１７０３の面１７０３ａとの間に設けている。なお、底面１７０４の排出口１７０６は、その全部を壁部１７００の面１７００ａと壁部１７０３の面１７０３ａとの間に設けてもよいし、少なくとも一部を壁部１７００の面１７００ａと壁部１７０３の面１７０３ａとの間に設けてもよい。
【００７９】
また、底面１７０４の排出口１７０６は、壁部１７００の払出口１７０５を設けていない面と壁部１７０３の面１７０３ａとの間に設けている。なお、底面１７０４の排出口１７０６は、その全部を壁部１７００の払出口１７０５を設けた面と壁部１７０３の面１７０３ａとの間に設けてもよいし、少なくとも一部を壁部１７００の払出口１７０５を設けた面と壁部１７０３の面１７０３ａとの間に設けてもよい。
【００８０】
なお、この第二の実施例においては、払出口１７０５が設けられた壁部１７００が遊技者側に突出している。
【００８１】
なお、この第二の実施例においては、払出口１７０５が設けられた壁部１７００が遊技球を貯留する領域を狭めるように突出している。
【００８２】
なお、この第二の実施例においては、払出口１７０５は遊技盤２００側に設けられている。
【００８３】
＜＜第三の実施例＞＞
図９は、本発明の第三の実施例に係る貯留皿の斜視図である。
【００８４】
図１０は、図９の貯留皿を示す図であって、（ａ）は平面図であり、（ｂ）は正面図であり、（ｃ）は（ｂ）のＡ−Ａ断面図である。
【００８５】
貯留皿２１２８は、底面２７０４に対してほぼ垂直に立ちあがり周囲を囲う壁部２７００、２７０１、２７０２および２７０３を有して構成される。なお、壁部２７００、２７０１、２７０２および２７０３は、底面２７０４に対して斜めに立ち上がるものであってもよい。底面２７０４、壁部２７００、２７０１、２７０２および２７０３は一体で形成されている。底面２７０４、壁部２７００、２７０１、２７０２および２７０３の何れか一つ又は何れか複数を他と別体で形成してもよい。
【００８６】
壁部２７００と壁部２７０３は、互いに向かい合って形成され、壁部２７０１と壁部２７０２は、互いに向かい合って形成されている。
【００８７】
壁部２７００は払出口２７０５を有し、払出口２７０５から払出された遊技球は、底面２７０４、壁部２７００、２７０１、２７０２および２７０３で囲まれた領域に貯留される。壁部２７００、２７０１、２７０２および２７０３のそれぞれにおいて、遊技球を貯留する領域側の面を内面と呼び、反対側の面を外面と呼ぶ。
【００８８】
壁部２７００、２７０２および２７０３の内面はほぼ平面であり、壁部２７０１の内面は、半円柱状に膨らむ曲面を形成している。なお、壁部２７００、２７０１、２７０２および２７０３の内面は平面でもよいし、曲面でもよい。また、壁部２７００、２７０１、２７０２および２７０３の内面は複数の面で形成するものでもよい。また、壁部２７００、２７０１、２７０２および２７０３の内面が曲面である場合、面全体を同一の曲率で形成するものでもよいし、複数の異なる曲率で形成するものでもよい。また、壁部２７００、２７０１、２７０２および２７０３の内面が曲面である場合、内面側に膨らむものでもよいし、外面側に膨らむものでもよい。また、壁部２７００、２７０１、２７０２および２７０３の内面を複数の面で形成する場合、その複数の面は、全てが平面でもよいし、全てが曲面でもよいし、平面の面と曲面の面が混在するものでもよい。なお、各壁部の外面も同様である。
【００８９】
壁部２７０１の内面は、面２７０１ａと面２７０１ｂの間に凸部２７０１ｃを有する。凸部２７０１ｃは、壁部２７０２の内面である面２７０２ａに最も近い。面２７０１ａの曲率と面２７０１ｂの曲率は同じである。なお、面２７０１ａの曲率と面２７０１ｂの曲率は異なってもよい。
【００９０】
払出口２７０５を設けた壁部２７００と、凸部２７０１ｃを設けた壁部２７０１とは、互いに隣り合う壁部である。
【００９１】
底面２７０４の排出口２７０６は、壁部２７０１の凸部２７０１ｃと壁部２７０２の面２７０２ａとの間に設けている。なお、底面２７０４の排出口２７０６は、壁部２７０１の凸部２７０１ｃと壁部２７０２の面２７０２ａとの間に設けなくてもよいし、壁部２７０１の凸部２７０１ｃと壁部２７０２の面２７０２ａとの間に少なくとも一部を設けてもよい。
【００９２】
なお、この第三の実施例においては、払出口２７０５が設けられた壁部２７００と隣り合う壁部２７０１が遊技球を貯留する領域を狭めるように突出している。
【００９３】
＜＜第四の実施例＞＞
図１１は、本発明の第四の実施例に係る貯留皿を示す図であって、（ａ）は斜視図であり、（ｂ）は平面図である。
【００９４】
図１２は、図１１の貯留皿を示す図であって、（ａ）は正面図であり、（ｂ）は（ａ）のＡ−Ａ断面図であり、（ｃ）は（ａ）のＢ−Ｂ断面図である。
【００９５】
貯留皿３１２８は、底面３７０４に対してほぼ垂直に立ちあがり周囲を囲う壁部３７００、３７０１、３７０２および３７０３を有して構成される。なお、壁部３７００、３７０１、３７０２および３７０３は、底面３７０４に対して斜めに立ち上がるものであってもよい。底面３７０４、壁部３７００、３７０１、３７０２および３７０３は一体で形成されている。底面３７０４、壁部３７００、３７０１、３７０２および３７０３の何れか一つ又は何れか複数を他と別体で形成してもよい。
【００９６】
壁部３７００と壁部３７０３は、互いに向かい合って形成され、壁部３７０１と壁部３７０２は、互いに向かい合って形成されている。
【００９７】
壁部３７００は払出口３７０５を有し、払出口３７０５から払出された遊技球は、底面３７０４、壁部３７００、３７０１、３７０２および３７０３で囲まれた領域に貯留される。壁部３７００、３７０１、３７０２および３７０３のそれぞれにおいて、遊技球を貯留する領域側の面を内面と呼び、反対側の面を外面と呼ぶ。
【００９８】
壁部３７００、３７０２および３７０３の内面はほぼ平面であり、壁部３７０１の内面は、上部はほぼ平面であり、下部は半円柱状に膨らむ曲面を形成している。なお、壁部３７００、３７０１、３７０２および３７０３の内面は平面でもよいし、曲面でもよい。また、壁部３７００、３７０１、３７０２および３７０３の内面は複数の面で形成するものでもよい。また、壁部３７００、３７０１、３７０２および３７０３の内面が曲面である場合、面全体を同一の曲率で形成するものでもよいし、複数の異なる曲率で形成するものでもよい。また、壁部３７００、３７０１、３７０２および３７０３の内面が曲面である場合、内面側に膨らむものでもよいし、外面側に膨らむものでもよい。また、壁部３７００、３７０１、３７０２および３７０３の内面を複数の面で形成する場合、その複数の面は、全てが平面でもよいし、全てが曲面でもよいし、平面の面と曲面の面が混在するものでもよい。なお、各壁部の外面も同様である。
【００９９】
壁部３７０１の内面の上部には平面の面３７０１ｄを形成し、その下部には、段差面３７０１ｅを有する。段差面３７０１ｅの下部においては、内面側に面３７０１ａと面３７０１ｂの間に凸部３７０１ｃを有する。凸部３７０１ｃは、壁部３７０２の内面である面３７０２ａに最も近い。面３７０１ａの曲率と面３７０１ｂの曲率は同じである。なお、面３７０１ａの曲率と面３７０１ｂの曲率は異なってもよい。
【０１００】
払出口３７０５を設けた壁部３７００と、凸部３７０１ｃを設けた壁部３７０１とは、互いに隣り合う壁部である。
【０１０１】
底面３７０４の排出口３７０６は、壁部３７０１の凸部３７０１ｃと壁部３７０２の面３７０２ａとの間に設けている。なお、底面３７０４の排出口３７０６は、壁部３７０１の凸部３７０１ｃと壁部３７０２の面３７０２ａとの間に設けなくてもよいし、壁部３７０１の凸部３７０１ｃと壁部３７０２の面３７０２ａとの間に少なくとも一部を設けてもよい。
【０１０２】
壁部３７０１は、段差面３７０１ｅのほかにさらに段差面を有していてもよく、この段差面によって内面側にさらに別の面を有していてもよい。この別の面は、面３７０１ｄよりも壁部３７０２の内面である面３７０２ａに近く、凸部３７０１ｃよりも壁部３７０２の内面である面３７０２ａから遠いものであってもよい。
【０１０３】
壁部３７０１の段差面３７０１ｅの上部すなわち面３７０１ｄと段差面３７０１ｅで形成される領域には、遊技球を貯留可能であってもよい。
【０１０４】
なお、この第四の実施例においては、壁部３７０１の一部が遊技球を貯留する領域を狭めるように突出していてもよい。
【０１０５】
なお、この第四の実施例においては、底面３７０４に段差が設けられた状態になっていてもよい。例えば、凸部３７０１ｃによって底面３７０４に段差が生じている。
【０１０６】
＜＜第五の実施例＞＞
図１３は、本発明の第五の実施例に係る貯留皿を示す図であって、（ａ）は斜視図であり、（ｂ）は平面図である。
【０１０７】
図１４は、図１３の貯留皿を示す図であって、（ａ）は正面図であり、（ｂ）は（ａ）のＡ−Ａ断面図であり、（ｃ）は（ａ）のＢ−Ｂ断面図である。
【０１０８】
貯留皿４１２８は、底面４７０４に対してほぼ垂直に立ちあがり周囲を囲う壁部４７００、４７０１、４７０２および４７０３を有して構成される。なお、壁部４７００、４７０１、４７０２および４７０３は、底面４７０４に対して斜めに立ち上がるものであってもよい。底面４７０４、壁部４７００、４７０１、４７０２および４７０３は一体で形成されている。底面４７０４、壁部４７００、４７０１、４７０２および４７０３の何れか一つ又は何れか複数を他と別体で形成してもよい。
【０１０９】
壁部４７００と壁部４７０３は、互いに向かい合って形成され、壁部４７０１と壁部４７０２は、互いに向かい合って形成されている。
【０１１０】
壁部４７００は払出口４７０５を有し、払出口４７０５から払出された遊技球は、底面４７０４、壁部４７００、４７０１、４７０２および４７０３で囲まれた領域に貯留される。壁部４７００、４７０１、４７０２および４７０３のそれぞれにおいて、遊技球を貯留する領域側の面を内面と呼び、反対側の面を外面と呼ぶ。
【０１１１】
壁部４７００、４７０２および４７０３の内面はほぼ平面であり、壁部４７０１の内面は、下部はほぼ平面であり、上部は半円柱状に膨らむ曲面を形成している。なお、壁部４７００、４７０１、４７０２および４７０３の内面は平面でもよいし、曲面でもよい。また、壁部４７００、４７０１、４７０２および４７０３の内面は複数の面で形成するものでもよい。また、壁部４７００、４７０１、４７０２および４７０３の内面が曲面である場合、面全体を同一の曲率で形成するものでもよいし、複数の異なる曲率で形成するものでもよい。また、壁部４７００、４７０１、４７０２および４７０３の内面が曲面である場合、内面側に膨らむものでもよいし、外面側に膨らむものでもよい。また、壁部４７００、４７０１、４７０２および４７０３の内面を複数の面で形成する場合、その複数の面は、全てが平面でもよいし、全てが曲面でもよいし、平面の面と曲面の面が混在するものでもよい。なお、各壁部の外面も同様である。
【０１１２】
壁部４７０１の内面の下部には平面の面４７０１ｄを形成し、その上部には、段差面４７０１ｅを有する。段差面４７０１ｅの上部においては、内面側に面４７０１ａと面４７０１ｂの間に凸部４７０１ｃを有する。凸部４７０１ｃは、壁部４７０２の内面である面４７０２ａに最も近い。面４７０１ａの曲率と面４７０１ｂの曲率は同じである。なお、面４７０１ａの曲率と面４７０１ｂの曲率は異なってもよい。
【０１１３】
なお、壁部４７０１の内面の上部において形成された凸部４７０１ｃをなす半円柱状に膨らむ曲面部分に、払出口４７０５とは別に、不図示の払出口を設けてもよい。この半円柱状に膨らむ曲面部分に設けた払出口は、例えば、
（イ）打ち損じの遊技球が通る通路を経てきた遊技球を払出すものであってもよいし、
（ロ）球抜ボタン１３０が操作されて上皿１２６から抜かれた遊技球が通る通路を経てきた遊技球を払出すものであってもよいし、
（ハ）払出装置１５２から払出されたものの上皿１２６が満杯で上皿１２６に入りきらない遊技球が通る通路を経てきた遊技球を払出すものであってもよい。
【０１１４】
また、この半円柱状に膨らむ曲面部分に設けた払出口は、上記（イ）、（ロ）、（ハ）のうちのいずれか一つであってもよいし、いずれか二つであってもよいし、全てであってもよい。
【０１１５】
また、この半円柱状に膨らむ曲面部分に設けた払出口は、上記（イ）、（ロ）、（ハ）のうち、払出口４７０５からは払出さない遊技球を、払出すものであってもよいし、払出口４７０５からも払出す遊技球を、払出すものであってもよい。
【０１１６】
払出口４７０５を設けた壁部４７００と、凸部４７０１ｃを設けた壁部４７０１とは、互いに隣り合う壁部である。
【０１１７】
底面４７０４の排出口４７０６は、壁部４７０１の凸部４７０１ｃと壁部４７０２の面４７０２ａとの間に設けている。なお、底面４７０４の排出口４７０６は、壁部４７０１の凸部４７０１ｃと壁部４７０２の面４７０２ａとの間に設けなくてもよいし、壁部４７０１の凸部４７０１ｃと壁部４７０２の面４７０２ａとの間に少なくとも一部を設けてもよい。
【０１１８】
壁部４７０１は、段差面４７０１ｅのほかにさらに段差面を有していてもよく、この段差面によって内面側にさらに別の面を有していてもよい。この別の面は、面４７０１ｄよりも壁部４７０２の内面である面４７０２ａに近く、凸部４７０１ｃよりも壁部４７０２の内面である面４７０２ａから遠いものであってもよい。
【０１１９】
壁部４７０１の段差面４７０１ｅの下部すなわち面４７０１ｄと段差面４７０１ｅで形成される領域には、遊技球を貯留可能であってもよい。この面４７０１ｄと段差面４７０１ｅで形成される領域は、壁部４７０１の一部（凸部４７０１ｃの近傍）によって覆われているため、覆われていない領域よりも遊技者から視認しにくい。これにより遊技球の貯留可能な量を少なく見せることができ、遊技者に遊技球の排出を促すことができる場合がある。
【０１２０】
なお、この第五の実施例においては、壁部４７０１の一部が遊技球を貯留する領域を狭めるように突出していてもよい。
【０１２１】
なお、この第五の実施例においては、少なくとも底面４７０４が、壁部４７０１の突出した部分（凸部４７０１ｃ）によって覆われるように構成されてもよい。
【０１２２】
＜＜第六の実施例＞＞
図１５は、本発明の第六の実施例に係る貯留皿の斜視図である。
【０１２３】
図１６は、図１５の貯留皿を示す図であって、（ａ）は平面図であり、（ｂ）は正面図であり、（ｃ）は（ｂ）のＡ−Ａ断面図である。
【０１２４】
貯留皿５１２８は、底面５７０４に対してほぼ垂直に立ちあがり周囲を囲う壁部５７００、５７０１、５７０２および５７０３を有して構成される。なお、壁部５７００、５７０１、５７０２および５７０３は、底面５７０４に対して斜めに立ち上がるものであってもよい。底面５７０４、壁部５７００、５７０１、５７０２および５７０３は一体で形成されている。底面５７０４、壁部５７００、５７０１、５７０２および５７０３の何れか一つ又は何れか複数を他と別体で形成してもよい。
【０１２５】
壁部５７００と壁部５７０３は、互いに向かい合って形成され、壁部５７０１と壁部５７０２は、互いに向かい合って形成されている。
【０１２６】
壁部５７００は払出口５７０５を有し、払出口５７０５から払出された遊技球は、底面５７０４、壁部５７００、５７０１、５７０２および５７０３で囲まれた領域に貯留される。壁部５７００、５７０１、５７０２および５７０３のそれぞれにおいて、遊技球を貯留する領域側の面を内面と呼び、反対側の面を外面と呼ぶ。
【０１２７】
壁部５７００、５７０１および５７０２の内面はほぼ平面であり、壁部５７０３の内面は、逆Ｓ字状の曲面を形成している。また、壁部５７０３の外面は、壁部５７０３の内面に合わせた形状（例えば、同じ形状）であり、逆Ｓ字状の曲面である５７０３ｄを形成している。なお、壁部５７０３の外面は、壁部５７０３の内面に合わせた形状でなくてもよい。なお、壁部５７００、５７０１、５７０２および５７０３の内面は平面でもよいし、曲面でもよい。また、壁部５７００、５７０１、５７０２および５７０３の内面は複数の面で形成するものでもよい。また、壁部５７００、５７０１、５７０２および５７０３の内面が曲面である場合、面全体を同一の曲率で形成するものでもよいし、複数の異なる曲率で形成するものでもよい。また、壁部５７００、５７０１、５７０２および５７０３の内面が曲面である場合、内面側に膨らむものでもよいし、外面側に膨らむものでもよい。また、壁部５７００、５７０１、５７０２および５７０３の内面を複数の面で形成する場合、その複数の面は、全てが平面でもよいし、全てが曲面でもよいし、平面の面と曲面の面が混在するものでもよい。なお、各壁部の外面も同様である。
【０１２８】
なお、壁部の内面における凸部と、壁部の外面における凹部とは、壁部を挟んで相対する位置にあってもよいし、壁部を挟んでずれた位置にあってもよいし、同じ形状であってもよいし、異なる形状であってもよい。
【０１２９】
壁部５７０３の内面は、面５７０３ａと面５７０３ｂの間に凸部５７０３ｃを有する。凸部５７０３ｃは、壁部５７００の内面である面５７００ａに最も近い。
【０１３０】
壁部５７００の払出口５７０５は、壁部５７０３の凸部５７０３ｃと向かい合わない位置に設けている。なお、壁部５７００の払出口５７０５は、壁部５７０３の凸部５７０３ｃと向かい合う位置に設けてもよいし、壁部５７０３の凸部５７０３ｃと少なくとも一部が向かい合う位置に設けてもよいし、壁部５７０３の凸部５７０３ｃと全部が向かい合う位置に設けてもよい。
【０１３１】
底面５７０４の排出口５７０６は、壁部５７００の払出口５７０５と壁部５７０３の面５７０３ｂとの間に設けている。なお、底面５７０４の排出口５７０６は、壁部５７００の払出口５７０５と壁部５７０３の面５７０３ｂとの間に設けなくてもよいし、壁部５７００の払出口５７０５と壁部５７０３の面５７０３ｂとの間に少なくとも一部を設けてもよい。また、底面５７０４の排出口５７０６は、壁部５７０３の凸部５７０３ｃと壁部５７００の面５７００ａとの間に設けていない。なお、底面５７０４の排出口５７０６は、壁部５７０３の凸部５７０３ｃと壁部５７００の面５７００ａとの間に設けなくてもよいし、壁部５７０３の凸部５７０３ｃと壁部５７００の面５７００ａとの間に少なくとも一部を設けてもよい。
【０１３２】
なお、この第六の実施例においては、壁部５７０３の外面の形状と内面の形状が一致していてもよい。
【０１３３】
＜＜第七の実施例＞＞
図１７は、本発明の第七の実施例に係る貯留皿の斜視図である。
【０１３４】
図１８は、図１７の貯留皿を示す図であって、（ａ）は平面図であり、（ｂ）は正面図であり、（ｃ）は（ｂ）のＡ−Ａ断面図である。
【０１３５】
貯留皿６１２８は、底面６７０４に対してほぼ垂直に立ちあがり周囲を囲う壁部６７００、６７０１、６７０２および６７０３を有して構成される。なお、壁部６７００、６７０１、６７０２および６７０３は、底面６７０４に対して斜めに立ち上がるものであってもよい。底面６７０４、壁部６７００、６７０１、６７０２および６７０３は一体で形成されている。底面６７０４、壁部６７００、６７０１、６７０２および６７０３の何れか一つ又は何れか複数を他と別体で形成してもよい。
【０１３６】
壁部６７００と壁部６７０３は、互いに向かい合って形成され、壁部６７０１と壁部６７０２は、互いに向かい合って形成されている。
【０１３７】
壁部６７００は払出口６７０５を有し、払出口６７０５から払出された遊技球は、底面６７０４、壁部６７００、６７０１、６７０２および６７０３で囲まれた領域に貯留される。壁部６７００、６７０１、６７０２および６７０３のそれぞれにおいて、遊技球を貯留する領域側の面を内面と呼び、反対側の面を外面と呼ぶ。
【０１３８】
壁部６７０１および６７０２の内面はほぼ平面であり、壁部６７００の内面は、面の向きが異なる二つの面６７００ａおよび６７００ｂを有し、面６７００ａと面６７００ｂが接する箇所で凸部６７００ｃを形成し、壁部６７０３の内面は、面の向きが異なる二つの面６７０３ａおよび６７０３ｂを有し、面６７０３ａと面６７０３ｂが接する箇所で凹部６７０３ｃを形成し、壁部６７０３の外面は、面の向きが異なる二つの面６７０３ｄおよび６７０３ｅを有し、面６７０３ｄと面６７０３ｅが接する箇所で凸部６７０３ｆを形成している。凸部６７００ｃは、壁部６７００において内面側に最も突出している。凹部６７０３ｃは、壁部６７０３において外面側に最も凹んでいる。凸部６７０３ｆは、壁部６７０３において外面側に最も突出している。なお、壁部６７００、６７０１、６７０２および６７０３の内面は平面でもよいし、曲面でもよい。また、壁部６７００、６７０１、６７０２および６７０３の内面は複数の面で形成するものでもよい。また、壁部６７００、６７０１、６７０２および６７０３の内面が曲面である場合、面全体を同一の曲率で形成するものでもよいし、複数の異なる曲率で形成するものでもよい。また、壁部６７００、６７０１、６７０２および６７０３の内面が曲面である場合、内面側に膨らむものでもよいし、外面側に膨らむものでもよい。また、壁部６７００、６７０１、６７０２および６７０３の内面を複数の面で形成する場合、その複数の面は、全てが平面でもよいし、全てが曲面でもよいし、平面の面と曲面の面が混在するものでもよい。なお、各壁部の外面も同様である。
【０１３９】
凹部６７０３ｃと凸部６７００ｃは、向かい合う位置に形成されている。また、面６７０３ａと面６７００ａは平行になるように設けられている。また、面６７０３ｂと面６７００ｂは平行になるように設けられている。なお、凹部６７０３ｃは凸部６７００ｃとずれた位置に形成されていてもよい。また、面６７０３ａと面６７００ａは平行でなくてもよい。また、面６７０３ｂと面６７００ｂは平行でなくてもよい。
【０１４０】
また、壁部６７０３の外面は、壁部６７０３の内面に合わせた形状である。なお、壁部６７０３の外面は、壁部６７０３の内面に合わせた形状でなくてもよい。
【０１４１】
本実施例では、面６７０３ａ、６７００ａ、６７０３ｂおよび６７００ｂのそれぞれは平面であるが、このうちの少なくとも何れか一つの面が曲面であってもよいし、何れか一つのみが曲面であってもよいし、何れか二つのみが曲面であってもよいし、何れか三つのみが曲面であってもよいし、全ての面が曲面であってもよい。また、この曲面は内面側に膨らむものであってもよいし、外面側に膨らむものであってもよい。また、曲面でなくてもよい。
【０１４２】
壁部６７００の払出口６７０５は、凸部６７００ｃよりも凹んだ（凸部６７００ｃよりも外面側の）面６７００ａに設けている。パチンコ機１００の内部から払出口６７０５に通じる通路は、面６７００ａと垂直になるように形成している。なお、パチンコ機１００の内部から払出口６７０５に通じる通路は、面６７０３ａと垂直になるように設けてもよいし、壁部６７０１の何れかの面と平行または垂直になるように設けてもよいし、壁部６７０２の何れかの面と平行または垂直になるように設けてもよいし、壁部６７０３の何れかの面と平行または垂直になるように設けてもよい。
【０１４３】
なお、壁部の内面における凸部と、この壁部と向かい合う壁部の内面における凹部とは、遊技球を貯留する領域を挟んで相対する位置にあってもよいし、遊技球を貯留する領域を挟んでずれた位置にあってもよいし、同じ形状であってもよいし、異なる形状であってもよい。
【０１４４】
底面６７０４の排出口６７０６は、壁部６７００の面６７００ｂと壁部６７０３の面６７０３ａとの間に設けている。なお、底面６７０４の排出口６７０６は、その全部を壁部６７００の面６７００ａと壁部６７０３の面６７０３ａとの間に設けてもよいし、少なくとも一部を壁部６７００の面６７００ａと壁部６７０３の面６７０３ａとの間に設けてもよい。
【０１４５】
また、底面６７０４の排出口６７０６は、壁部６７００の払出口６７０５を設けている面と壁部６７０３の面６７０３ａとの間に設けている。なお、底面６７０４の排出口６７０６は、その全部を壁部６７００の払出口６７０５を設けない面と壁部６７０３のいずれかの面との間に設けてもよいし、少なくとも一部を壁部６７００の払出口６７０５を設けない面と壁部６７０３のいずれかの面との間に設けてもよい
なお、この第七の実施例においては、壁部６７００の突出している形状に合わせて、この壁部６７００と向かい合う壁部６７０３を突出している形状にしてもよい。
【０１４６】
＜＜第八の実施例＞＞
図１９は、本発明の第八の実施例に係る貯留皿の斜視図である。
【０１４７】
図２０は、図１９の貯留皿を示す図であって、（ａ）は平面図であり、（ｂ）は正面図であり、（ｃ）は（ｂ）のＡ−Ａ断面図である。
【０１４８】
貯留皿７１２８は、底面７７０４に対してほぼ垂直に立ちあがり周囲を囲う壁部７７００、７７０１、７７０２および７７０３を有して構成される。なお、壁部７７００、７７０１、７７０２および７７０３は、底面７７０４に対して斜めに立ち上がるものであってもよい。底面７７０４、壁部７７００、７７０１、７７０２および７７０３は一体で形成されている。底面７７０４、壁部７７００、７７０１、７７０２および７７０３の何れか一つ又は何れか複数を他と別体で形成してもよい。
【０１４９】
壁部７７００と壁部７７０３は、互いに向かい合って形成され、壁部７７０１と壁部７７０２は、互いに向かい合って形成されている。
【０１５０】
壁部７７００は払出口７７０５を有し、払出口７７０５から払出された遊技球は、底面７７０４、壁部７７００、７７０１、７７０２および７７０３で囲まれた領域に貯留される。壁部７７００、７７０１、７７０２および７７０３のそれぞれにおいて、遊技球を貯留する領域側の面を内面と呼び、反対側の面を外面と呼ぶ。
【０１５１】
壁部７７００、７７０１および７７０２の内面はほぼ平面であり、壁部７７０３の内面は、段差のある複数の面で形成している。なお、壁部７７００、７７０１、７７０２および７７０３の内面は平面でもよいし、曲面でもよい。また、壁部７７００、７７０１、７７０２および７７０３の内面は複数の面で形成するものでもよい。また、壁部７７００、７７０１、７７０２および７７０３の内面が曲面である場合、面全体を同一の曲率で形成するものでもよいし、複数の異なる曲率で形成するものでもよい。また、壁部７７００、７７０１、７７０２および７７０３の内面が曲面である場合、内面側に膨らむものでもよいし、外面側に膨らむものでもよい。また、壁部７７００、７７０１、７７０２および７７０３の内面を複数の面で形成する場合、その複数の面は、全てが平面でもよいし、全てが曲面でもよいし、平面の面と曲面の面が混在するものでもよい。なお、各壁部の外面も同様である。
【０１５２】
壁部７７０３の内面は、最も壁部７７０１の側に面７７０３ａを有し、面７７０３ａに続いて段差面である面７７０３ｄを有し、面７７０３ｄに続いて面７７０３ｃを有し、面７７０３ｃに続いて段差面である面７７０３ｅを有し、面７７０３ｅに続いて面７７０３ｂを有する。面７７０３ｂは、壁部７７０３の内面において、最も壁部７７０２の側の面である。面７７０３ｃは、壁部７７００の内面である面７７００ａに最も近い。
【０１５３】
面７７０３ｄと面７７０３ｃが接する箇所で角部７７０３ｆを形成している。また、面７７０３ｅと面７７０３ｃが接する箇所で角部７７０３ｇを形成している。
【０１５４】
壁部７７００の払出口７７０５は、壁部７７０３の面７７０３ｃと向かい合う位置に設けている。なお、壁部７７００の払出口７７０５は、壁部７７０３の面７７０３ｃと向かい合わない位置に設けてもよいし、壁部７７０３の面７７０３ｃと少なくとも一部が向かい合う位置に設けてもよいし、壁部７７０３の面７７０３ｃと全部が向かい合う位置に設けてもよい。
【０１５５】
底面７７０４の排出口７７０６は、壁部７７００の面７７００ａと壁部７７０３の面７７０３ｂとの間に設けている。なお、底面７７０４の排出口７７０６は、壁部７７００の面７７００ａと壁部７７０３の面７７０３ｃとの間に設けてもよいし、壁部７７００の面７７００ａと壁部７７０３の面７７０３ａとの間に設けてもよい。
【０１５６】
面７７０３ａの面積は、面７７０３ｂの面積と等しい。なお、面７７０３ａの面積は、面７７０３ｂの面積よりも小さくてもよく、面７７０３ｂの面積よりも大きくてもよい。
【０１５７】
面７７０３ａの面積は、面７７０３ｃの面積よりも大きい。なお、面７７０３ａの面積は、面７７０３ｃの面積と等しくてもよく、面７７０３ｃの面積よりも小さくてもよい。
【０１５８】
面７７０３ｂの面積は、面７７０３ｃの面積よりも大きい。なお、面７７０３ｂの面積は、面７７０３ｃの面積と等しくてもよく、面７７０３ｃの面積よりも小さくてもよい。
【０１５９】
また、面７７０３ｃは、図２０（ａ）の左右方向において壁部７７０３の中央位置に配置している。なお、面７７０３ｃは、図２０（ａ）の左右方向において壁部７７０３の右寄りに配置してもよいし、壁部７７０３の左寄りに配置してもよい。
【０１６０】
また、面７７０３ａは、面７７００ａと平行である。なお、面７７０３ａは、面７７００ａと平行でなくてもよい。
【０１６１】
また、面７７０３ｂは、面７７００ａと平行である。なお、面７７０３ｂは、面７７００ａと平行でなくてもよい。
【０１６２】
また、面７７０３ｃは、面７７００ａと平行である。なお、面７７０３ｃは、面７７００ａと平行でなくてもよい。
【０１６３】
また、面７７０３ａから面７７００ａまでの距離と、面７７０３ｂから面７７００ａまでの距離は等しい。なお、面７７０３ａから面７７００ａまでの距離が、面７７０３ｂから面７７００ａまでの距離よりも近くてもよく、面７７０３ｂから面７７００ａまでの距離よりも離れていてもよい。
【０１６４】
なお、この第八の実施例においては、壁部７７０３の一部が遊技球を貯留する領域を狭めるように突出した形状になっている。
【０１６５】
＜＜第九の実施例＞＞
図２１は、本発明の第九の実施例に係る貯留皿を示す図であって、（ａ）は斜視図であり、（ｂ）は平面図である。
【０１６６】
図２２は、図２１の貯留皿を示す図であって、（ａ）は正面図であり、（ｂ）は（ａ）のＡ−Ａ断面図であり、（ｃ）は（ａ）のＢ−Ｂ断面図である。
【０１６７】
貯留皿８１２８は、底面８７０４に対してほぼ垂直に立ちあがり周囲を囲う壁部８７００、８７０１、８７０２および８７０３を有して構成される。なお、壁部８７００、８７０１、８７０２および８７０３は、底面８７０４に対して斜めに立ち上がるものであってもよい。底面８７０４、壁部８７００、８７０１、８７０２および８７０３は一体で形成されている。底面８７０４、壁部８７００、８７０１、８７０２および８７０３の何れか一つ又は何れか複数を他と別体で形成してもよい。
【０１６８】
壁部８７００と壁部８７０３は、互いに向かい合って形成され、壁部８７０１と壁部８７０２は、互いに向かい合って形成されている。
【０１６９】
壁部８７００は払出口８７０５を有し、払出口８７０５から払出された遊技球は、底面８７０４、壁部８７００、８７０１、８７０２および８７０３で囲まれた領域に貯留される。壁部８７００、８７０１、８７０２および８７０３のそれぞれにおいて、遊技球を貯留する領域側の面を内面と呼び、反対側の面を外面と呼ぶ。
【０１７０】
壁部８７００、８７０１および８７０２の内面はほぼ平面であり、壁部８７０３の内面は、段差のある複数の面で形成している。なお、壁部８７００、８７０１、８７０２および８７０３の内面は平面でもよいし、曲面でもよい。また、壁部８７００、８７０１、８７０２および８７０３の内面は複数の面で形成するものでもよい。また、壁部８７００、８７０１、８７０２および８７０３の内面が曲面である場合、面全体を同一の曲率で形成するものでもよいし、複数の異なる曲率で形成するものでもよい。また、壁部８７００、８７０１、８７０２および８７０３の内面が曲面である場合、内面側に膨らむものでもよいし、外面側に膨らむものでもよい。また、壁部８７００、８７０１、８７０２および８７０３の内面を複数の面で形成する場合、その複数の面は、全てが平面でもよいし、全てが曲面でもよいし、平面の面と曲面の面が混在するものでもよい。なお、各壁部の外面も同様である。
【０１７１】
壁部８７０３の内面は、最も壁部８７０１の側に面８７０３ａを有し、面８７０３ａに続いて段差面である面８７０３ｄを有し、面８７０３ｄに続いて面８７０３ｃを有し、面８７０３ｃに続いて段差面である面８７０３ｅを有し、面８７０３ｅに続いて面８７０３ｂを有する。面８７０３ｂは、壁部８７０３の内面において、最も壁部７７０２の側の面である。面８７０３ｃは、壁部８７００の内面である面８７００ａに最も近い。
【０１７２】
面８７０３ｄと面８７０３ｃが接する箇所で角部８７０３ｆを形成している。また、面８７０３ｅと面８７０３ｃが接する箇所で角部８７０３ｇを形成している。
【０１７３】
面８７０３ａは、上部８７０３ａａと比べて下部８７０３ａｂの方が、面８７００ａから離れるように斜面を形成している。なお、面８７０３ａは、上部８７０３ａａと比べて下部８７０３ａｂの方が、面８７００ａに近づくように斜面を形成してもよい。また、面８７０３ａは平面である。なお、面８７０３ａは曲面であってもよい。
【０１７４】
図２２（ｂ）に示すように、図２２（ａ）のＡ−Ａ断面における、面８７０３ａの箇所での壁部８７０３の壁厚をＬ２とし、図２２（ｃ）に示すように、図２２（ａ）のＢ−Ｂ断面における、面８７０３ａの箇所での壁部８７０３の壁厚をＬ３とする。ここでは壁厚Ｌ２＜壁厚Ｌ３である。なお、壁厚Ｌ２＝壁厚Ｌ３でもよく、壁厚Ｌ２＞壁厚Ｌ３でもよい。
【０１７５】
面８７０３ｂは、上部８７０３ｂａと比べて下部８７０３ｂｂの方が、面８７００ａから離れるように斜面を形成している。なお、面８７０３ｂは、上部８７０３ｂａと比べて下部８７０３ｂｂの方が、面８７００ａに近づくように斜面を形成してもよい。また、面８７０３ｂは平面である。なお、面８７０３ｂは曲面であってもよい。
【０１７６】
図２２（ｂ）に示すように、図２２（ａ）のＡ−Ａ断面における、面８７０３ｂの箇所での壁部８７０３の壁厚をＬ４とし、図２２（ｃ）に示すように、図２２（ａ）のＢ−Ｂ断面における、面８７０３ｂの箇所での壁部８７０３の壁厚をＬ５とする。ここでは壁厚Ｌ４＜壁厚Ｌ５である。なお、壁厚Ｌ４＝壁厚Ｌ５でもよく、壁厚Ｌ４＞壁厚Ｌ５でもよい。
【０１７７】
なお、壁部８７００、８７０１、８７０２および８７０３の内面を形成する全ての面のそれぞれは、底面８７０４に対して垂直な面であってもよく、底面８７０４に対して垂直以外の角度を有する斜面であってもよく、平面であってもよく、曲面であってもよい。
【０１７８】
壁部８７００の払出口８７０５は、壁部８７０３の面８７０３ｃと向かい合う位置に設けている。なお、壁部８７００の払出口８７０５は、壁部８７０３の面８７０３ｃと向かい合わない位置に設けてもよいし、壁部８７０３の面８７０３ｃと少なくとも一部が向かい合う位置に設けてもよいし、壁部８７０３の面８７０３ｃと全部が向かい合う位置に設けてもよい。
【０１７９】
底面８７０４の排出口８７０６は、壁部８７００の面８７００ａと壁部８７０３の面８７０３ｂとの間に設けている。なお、底面８７０４の排出口８７０６は、壁部８７００の面８７００ａと壁部８７０３の面８７０３ｃとの間に設けてもよいし、壁部８７００の面８７００ａと壁部８７０３の面８７０３ａとの間に設けてもよい。
【０１８０】
面８７０３ａの面積は、面８７０３ｂの面積と等しい。なお、面８７０３ａの面積は、面８７０３ｂの面積よりも小さくてもよく、面８７０３ｂの面積よりも大きくてもよい。
【０１８１】
面８７０３ａの面積は、面８７０３ｃの面積よりも大きい。なお、面８７０３ａの面積は、面８７０３ｃの面積と等しくてもよく、面８７０３ｃの面積よりも小さくてもよい。
【０１８２】
面８７０３ｂの面積は、面８７０３ｃの面積よりも大きい。なお、面８７０３ｂの面積は、面８７０３ｃの面積と等しくてもよく、面８７０３ｃの面積よりも小さくてもよい。
【０１８３】
また、面８７０３ｃは、図２１（ｂ）の左右方向において壁部８７０３の中央位置に配置している。なお、面８７０３ｃは、図２１（ｂ）の左右方向において壁部８７０３の右寄りに配置してもよいし、壁部８７０３の左寄りに配置してもよい。
【０１８４】
また、面８７０３ａは、面８７００ａと平行である。なお、面８７０３ａは、面８７００ａと平行でなくてもよい。
【０１８５】
また、面８７０３ｂは、面８７００ａと平行である。なお、面８７０３ｂは、面８７００ａと平行でなくてもよい。
【０１８６】
また、面８７０３ｃは、面８７００ａと平行である。なお、面８７０３ｃは、面８７００ａと平行でなくてもよい。
【０１８７】
また、面８７０３ａから面８７００ａまでの距離と、面８７０３ｂから面８７００ａまでの距離は等しい。なお、面８７０３ａから面８７００ａまでの距離が、面８７０３ｂから面８７００ａまでの距離よりも近くてもよく、面８７０３ｂから面８７００ａまでの距離よりも離れていてもよい。
【０１８８】
図２３は、図２１（ａ）に示した貯留皿８１２８において、図２２（ａ）とは異なる断面方向を示す平面図である。
【０１８９】
図２３にしめすＡ−Ａ断面方向、Ｂ−Ｂ断面方向での断面図を示しながら、本発明の実施例（第九の実施例から第十四の実施例）について以下に説明する。
【０１９０】
図２４（ａ）は、図２３のＡ−Ａ断面図である。
【０１９１】
図２５（ｂ）は、図２３のＢ−Ｂ断面図である。
【０１９２】
図２４（ａ）、図２５（ｂ）に示すように、第九の実施例の貯留皿８１２８では、壁部８７００の面８７００ａは、平面であり、底面８７０４に対してほぼ垂直に形成されている。
【０１９３】
また、貯留皿８１２８では、壁部８７０３の面８７０３ａは、平面であり、底面８７０４に対して鋭角を形成する斜面（面８７０３ａの上部が下部よりも面８７００ａに近い斜面）で形成されている。
【０１９４】
また、貯留皿８１２８では、壁部８７０３の面８７０３ｃは、平面であり、底面８７０４に対してほぼ垂直に形成されている。
【０１９５】
なお、この第九の実施例においては、面８７０３ｃにより凸部が設けられた壁部８７０３は斜面で形成されていてもよい。
【０１９６】
＜＜第十の実施例＞＞
図２４（ｂ）は、本発明の第十の実施例に係る貯留皿の、図２３のＡ−Ａで示す位置での断面図である。
【０１９７】
図２４（ｂ）に示すように、第十の実施例の貯留皿９１２８では、壁部９７００の面９７００ａは、平面であり、底面９７０４に対してほぼ垂直に形成されている。また、面９７００ａと底面９７０４が接する位置には曲面を形成している。
【０１９８】
また、貯留皿９１２８では、壁部９７０３の面９７０３ａは、平面であり、底面９７０４に対してほぼ垂直に形成されている。また、面９７０３ａと底面９７０４が接する位置には曲面を形成している。
【０１９９】
また、貯留皿９１２８では、壁部９７０３の面９７０３ｃは、平面であり、底面９７０４に対してほぼ垂直に形成されている。
【０２００】
なお、この第十の実施例においては、壁部９７００と底面９７０４が接する位置や、壁部９７０３と底面９７０４が接する位置に、曲面を有していてもよい。
【０２０１】
＜＜第十一の実施例＞＞
図２４（ｃ）は、本発明の第十一の実施例に係る貯留皿の、図２３のＡ−Ａで示す位置での断面図である。
【０２０２】
図２４（ｃ）に示すように、第十一の実施例の貯留皿１０１２８では、壁部１０７００の面１０７００ａは、中央が外面側に膨らんだ曲面（凹状の曲面）であり、底面１０７０４に対してほぼ垂直に形成されている。また、面１０７００ａと底面１０７０４が接する位置には曲面を形成している。
【０２０３】
また、貯留皿１０１２８では、壁部１０７０３の面１０７０３ａは、中央が外面側に膨らんだ曲面（凹状の曲面）であり、底面１０７０４に対してほぼ垂直に形成されている。また、面１０７００ａと底面１０７０４が接する位置には曲面を形成している。
【０２０４】
また、貯留皿１０１２８では、壁部１０７０３の面１０７０３ｃは、平面であり、底面１０７０４に対してほぼ垂直に形成されている。
【０２０５】
なお、この第十一の実施例においては、壁部１０７００や、壁部１０７０３は、曲面を有していてもよい。
【０２０６】
＜＜第十二の実施例＞＞
図２４（ｄ）は、本発明の第十二の実施例に係る貯留皿の、図２３のＡ−Ａで示す位置での断面図である。
【０２０７】
図２４（ｄ）に示すように、第十二の実施例の貯留皿１１１２８では、壁部１１７００の面１１７００ａは、中央が外面側に膨らんだ曲面（凹状の曲面）であり、底面１１７０４に対してほぼ垂直に形成されている。また、面１１７００ａと底面１１７０４が接する位置には曲面を形成している。
【０２０８】
また、貯留皿１１１２８では、壁部１１７０３の面１１７０３ａは、中央が外面側に膨らんだ曲面（凹状の曲面）であり、底面１１７０４に対してほぼ垂直に形成されている。また、面１１７００ａと底面１１７０４が接する位置には曲面を形成している。
【０２０９】
また、貯留皿１１１２８では、壁部１１７０３の面１１７０３ｃは、中央が外面側に膨らんだ曲面（凹状の曲面）であり、底面１１７０４に対してほぼ垂直に形成されている。
【０２１０】
なお、この第十二の実施例においては、壁部１１７０３の凸部の面１１７０３ｃも、曲面を有していてもよい。
【０２１１】
＜＜第十三の実施例＞＞
図２５（ａ）は、本発明の第十三の実施例に係る貯留皿の、図２３のＡ−Ａで示す位置での断面図である。
【０２１２】
図２５（ａ）に示すように、第十三の実施例の貯留皿１２１２８では、壁部１２７００の面１２７００ａは、平面であり、底面１２７０４に対して鈍角を形成する斜面（面１２７００ａの上部が下部よりも面１２７０３ａから離れている斜面）で形成されている。また、面１２７００ａと底面１２７０４が接する位置には曲面を形成している。
【０２１３】
また、貯留皿１２１２８では、壁部１２７０３の面１２７０３ａは、平面であり、底面１２７０４に対して鈍角を形成する斜面（面１２７０３ａの上部が下部よりも面１２７００ａから離れている斜面）で形成されている。また、面１２７０３ａと底面１２７０４が接する位置には曲面を形成している。
【０２１４】
また、貯留皿１２１２８では、壁部１２７０３の面１２７０３ｃは、平面であり、底面１２７０４に対してほぼ垂直に形成されている。
【０２１５】
なお、この第十三の実施例においては、凸部が設けられた壁部１２７０３は斜面と曲面により形成されてもよい。
【０２１６】
＜＜第十四の実施例＞＞
図２５（ｃ）は、本発明の第十四の実施例に係る貯留皿の、図２３のＢ−Ｂで示す位置での断面図である。
【０２１７】
図２５（ｃ）に示すように、第十四の実施例の貯留皿１３１２８では、壁部１３７００の面１３７００ａは、平面であり、底面１３７０４に対してほぼ垂直に形成されている。
【０２１８】
また、貯留皿１３１２８では、壁部１３７０３の面１３７０３ｃは、平面であり、底面１３７０４に対して鋭角を形成する斜面（面１３７０３ｃの上部が下部よりも面１３７００ａに近い斜面）で形成されている。
【０２１９】
なお、この第十四の実施例においては、凸部は斜面を有していてもよい。
【０２２０】
なお、この第十四の実施例においては、凸部は底面１３７０４に対し垂直な角度を有していてもよい。
【０２２１】
＜＜第十五の実施例＞＞
図２６は、本発明の第十五の実施例に係る貯留皿について説明する図であって、（ａ）は本発明の第十五の実施例に係る貯留皿を備えたパチンコ機の正面図であり、（ｂ）は本発明の第十五の実施例に係る貯留皿を備えたパチンコ機の上皿および下皿の近傍を拡大して示す斜視図であり、（ｃ）は本発明の第十五の実施例に係る貯留皿を備えたパチンコ機の上皿の近傍を拡大して示す平面図であり、（ｄ）は本発明の第十五の実施例に係る貯留皿を備えたパチンコ機の（ａ）におけるＡ−Ａ断面図である。
【０２２２】
パチンコ機１４１００は、図１に示したパチンコ機１００と同様の構造であり、詳しい説明は省略する。
【０２２３】
パチンコ機１４１００は、図１の球貯留皿付扉１０８に相当する球貯留皿付扉１４１０８をその前面に備える。
【０２２４】
球貯留皿付扉１４１０８は、複数の遊技球が貯留可能で且つ発射装置１１０（図１参照）へと遊技球を案内させる通路が設けられている上皿１４１２６と、上皿１４１２６に貯留しきれない遊技球を貯留する下皿１４１２８と、遊技者の操作によって上皿１４１２６に貯留された遊技球を払出口１４７０５を介して下皿１４１２８へと排出させる球抜ボタン１４１３０と、遊技者の操作によって下皿１４１２８に貯留された遊技球を排出口１４７０６から不図示の遊技球収集容器（俗称、ドル箱）へと排出させる球排出レバー（図示省略）と、遊技者の操作によって発射装置１１０（図１参照）へと案内された遊技球を遊技盤２００（図１参照）の遊技領域１２４（図１参照）へと打ち出す球発射ハンドル１３４（図１参照）と、遊技者の操作によって各種演出装置２０６（図３参照）の演出態様に変化を与えるチャンスボタン１４１３６と、チャンスボタン１４１３６を発光させるチャンスボタンランプ１４１３８と、遊技店に設置された不図示のカードユニット（ＣＲユニット）に対して球貸し指示を行う球貸操作ボタン１４１４０と、カードユニットに対して遊技者の残高の返却指示を行う返却操作ボタン１４１４２と、遊技者の残高やカードユニットの状態を表示する球貸表示部１４１４４と、を備える。
【０２２５】
上皿１４１２６は、上皿ユニット１４１２６ａに設けられている。上皿ユニット１４１２６ａは、その上面に、チャンスボタン１４１３６、チャンスボタンランプ１４１３８、球貸操作ボタン１４１４０、返却操作ボタン１４１４２、球貸表示部１４１４４および球抜ボタン１４１３０を設けている。
【０２２６】
下皿１４１２８は、下皿ユニット１４１２８ａに設けられている。下皿１４１２８の排出口１４７０６は底面１４７０４に形成されている。
【０２２７】
上皿ユニット１４１２６ａと下皿ユニット１４１２８ａは、一体的に形成されている。なお、上皿ユニット１４１２６ａと下皿ユニット１４１２８ａは、別体で形成してもよい。
【０２２８】
図２６（ｄ）に示すように、下皿ユニット１４１２８ａの下皿１４１２８は、底面１４７０４に対してほぼ垂直に立ちあがり周囲を囲う壁部１４７００、１４７０１、１４７０２および１４７０３を有して構成される。底面１４７０４、壁部１４７００、１４７０１、１４７０２および１４７０３は一体で形成されている。
【０２２９】
壁部１４７００と壁部１４７０３は、互いに向かい合って形成され、壁部１４７０１と壁部１４７０２は、互いに向かい合って形成されている。
【０２３０】
壁部１４７００は払出口１４７０５を有し、払出口１４７０５から払出された遊技球は、底面１４７０４、壁部１４７００、１４７０１、１４７０２および１４７０３で囲まれた領域に貯留される。壁部１４７００、１４７０１、１４７０２および１４７０３のそれぞれにおいて、遊技球を貯留する領域側の面を内面と呼び、反対側の面を外面と呼ぶ。
【０２３１】
壁部１４７００の内面である面１４７００ａは平面である。壁部１４７０３の内面は、曲面である面１４７０３ａと、やはり曲面である面１４７０３ｂとで形成されており、面１４７０３ａと面１４７０３ｂが接する箇所には凸部１４７０３ｃを形成している。凸部１４７０３ｃは、壁部１４７０３の内面のうちで、面１４７００ａに最も近い。
【０２３２】
壁部１４７０３の外面である面１４７０３ｄは、壁部１４７０３の内面である面１４７０３ａおよび面１４７０３ｂに対応した形状であり、これにより壁部１４７０３の壁厚は全面に亘ってほぼ一定となっている。
【０２３３】
また、上皿ユニット１４１２６ａの外面形状は、下皿ユニット１４１２８ａの外面形状と一致している（図２６（ｃ）、（ｄ）参照）。すなわち、上皿ユニット１４１２６ａの外面には凹部１４１２６ｂを有し、壁部１４７０３の面１４７０３ｄと同様の形状になっている。
【０２３４】
＜＜第十六の実施例＞＞
図２７は、本発明の第十六の実施例に係る貯留皿について説明する図であって、（ａ）は本発明の第十六の実施例に係る貯留皿を備えたパチンコ機の正面図であり、（ｂ）は本発明の第十六の実施例に係る貯留皿を備えたパチンコ機の上皿および下皿の近傍を拡大して示す斜視図であり、（ｃ）は本発明の第十六の実施例に係る貯留皿を備えたパチンコ機の上皿の近傍を拡大して示す平面図であり、（ｄ）は本発明の第十六の実施例に係る貯留皿を備えたパチンコ機の（ａ）におけるＡ−Ａ断面図である。
【０２３５】
パチンコ機１５１００は、図１に示したパチンコ機１００と同様の構造であり、詳しい説明は省略する。
【０２３６】
パチンコ機１５１００は、図１の球貯留皿付扉１０８に相当する球貯留皿付扉１５１０８をその前面に備える。
【０２３７】
球貯留皿付扉１５１０８は、複数の遊技球が貯留可能で且つ発射装置１１０（図１参照）へと遊技球を案内させる通路が設けられている上皿１５１２６と、上皿１５１２６に貯留しきれない遊技球を貯留する下皿１５１２８と、遊技者の操作によって上皿１５１２６に貯留された遊技球を払出口１５７０５を介して下皿１５１２８へと排出させる球抜ボタン１５１３０と、遊技者の操作によって下皿１５１２８に貯留された遊技球を排出口１５７０６から不図示の遊技球収集容器（俗称、ドル箱）へと排出させる球排出レバー（図示省略）と、遊技者の操作によって発射装置１１０（図１参照）へと案内された遊技球を遊技盤２００（図１参照）の遊技領域１２４（図１参照）へと打ち出す球発射ハンドル１３４（図１参照）と、遊技者の操作によって各種演出装置２０６（図３参照）の演出態様に変化を与えるチャンスボタン１５１３６と、チャンスボタン１５１３６を発光させるチャンスボタンランプ１５１３８と、遊技店に設置された不図示のカードユニット（ＣＲユニット）に対して球貸し指示を行う球貸操作ボタン１５１４０と、カードユニットに対して遊技者の残高の返却指示を行う返却操作ボタン１５１４２と、遊技者の残高やカードユニットの状態を表示する球貸表示部１５１４４と、を備える。
【０２３８】
上皿１５１２６は、上皿ユニット１５１２６ａに設けられている。上皿ユニット１５１２６ａは、その上面に、チャンスボタン１５１３６、チャンスボタンランプ１５１３８、球貸操作ボタン１５１４０、返却操作ボタン１５１４２、球貸表示部１５１４４および球抜ボタン１５１３０を設けている。
【０２３９】
下皿１５１２８は、下皿ユニット１５１２８ａに設けられている。下皿１５１２８の排出口１５７０６は底面１５７０４に形成されている。
【０２４０】
上皿ユニット１５１２６ａと下皿ユニット１５１２８ａは、一体的に形成されている。なお、上皿ユニット１５１２６ａと下皿ユニット１５１２８ａは、別体で形成してもよい。
【０２４１】
図２７（ｄ）に示すように、下皿ユニット１５１２８ａの下皿１５１２８は、底面１５７０４に対してほぼ垂直に立ちあがり周囲を囲う壁部１５７００、１５７０１、１５７０２および１５７０３を有して構成される。底面１５７０４、壁部１５７００、１５７０１、１５７０２および１５７０３は一体で形成されている。
【０２４２】
壁部１５７００と壁部１５７０３は、互いに向かい合って形成され、壁部１５７０１と壁部１５７０２は、互いに向かい合って形成されている。
【０２４３】
壁部１５７００は払出口１５７０５を有し、払出口１５７０５から払出された遊技球は、底面１５７０４、壁部１５７００、１５７０１、１５７０２および１５７０３で囲まれた領域に貯留される。壁部１５７００、１５７０１、１５７０２および１５７０３のそれぞれにおいて、遊技球を貯留する領域側の面を内面と呼び、反対側の面を外面と呼ぶ。
【０２４４】
壁部１５７００の内面である面１５７００ａは平面である。壁部１５７０３の内面は、曲面である面１５７０３ａと、やはり曲面である面１５７０３ｂとで形成されており、面１５７０３ａと面１５７０３ｂが接する箇所には凸部１５７０３ｃを形成している。凸部１５７０３ｃは、壁部１５７０３の内面のうちで、面１５７００ａに最も近い。
【０２４５】
壁部１５７０３の外面である面１５７０３ｄは、壁部１５７０３の内面である面１５７０３ａおよび面１５７０３ｂに対応していない形状である。壁部１５７０３の壁厚は場所によって異なり、壁が厚い部分と壁が薄い部分とが生じている。
【０２４６】
また、上皿ユニット１５１２６ａの外面形状は、下皿ユニット１５１２８ａの外面形状と一致している（図２７（ｃ）、（ｄ）参照）。すなわち、上皿ユニット１５１２６ａの外面である面１５１２６ｂは、壁部１５７０３の面１５７０３ｄと同様の形状になっている。
【０２４７】
また、上皿ユニット１５１２６ａの外面形状は、下皿ユニット１５１２８ａの内面形状と一致していない（図２７（ｃ）、（ｄ）参照）。すなわち、上皿ユニット１５１２６ａの面１５１２６ｂの形状は、壁部１５７０３の面１５７０３ｄと異なる形状になっている。
【０２４８】
＜＜第十七の実施例＞＞
図２８は、本発明の第十七の実施例に係る貯留皿について説明する図であって、（ａ）は本発明の第十七の実施例に係る貯留皿を備えたパチンコ機の正面図であり、（ｂ）は本発明の第十七の実施例に係る貯留皿を備えたパチンコ機の上皿および下皿の近傍を拡大して示す斜視図であり、（ｃ）は本発明の第十七の実施例に係る貯留皿を備えたパチンコ機の上皿の近傍を拡大して示す平面図であり、（ｄ）は本発明の第十七の実施例に係る貯留皿を備えたパチンコ機の（ａ）におけるＡ−Ａ断面図である。
【０２４９】
パチンコ機１６１００は、図１に示したパチンコ機１００と同様の構造であり、詳しい説明は省略する。
【０２５０】
パチンコ機１６１００は、図１の球貯留皿付扉１０８に相当する球貯留皿付扉１６１０８をその前面に備える。
【０２５１】
球貯留皿付扉１６１０８は、複数の遊技球が貯留可能で且つ発射装置１１０（図１参照）へと遊技球を案内させる通路が設けられている上皿１６１２６と、上皿１６１２６に貯留しきれない遊技球を貯留する下皿１６１２８と、遊技者の操作によって上皿１６１２６に貯留された遊技球を払出口１６７０５を介して下皿１６１２８へと排出させる球抜ボタン１６１３０と、遊技者の操作によって下皿１６１２８に貯留された遊技球を排出口１６７０６から不図示の遊技球収集容器（俗称、ドル箱）へと排出させる球排出レバー（図示省略）と、遊技者の操作によって発射装置１１０（図１参照）へと案内された遊技球を遊技盤２００（図１参照）の遊技領域１２４（図１参照）へと打ち出す球発射ハンドル１３４（図１参照）と、遊技者の操作によって各種演出装置２０６（図３参照）の演出態様に変化を与えるチャンスボタン１６１３６と、チャンスボタン１６１３６を発光させるチャンスボタンランプ１６１３８と、遊技店に設置された不図示のカードユニット（ＣＲユニット）に対して球貸し指示を行う球貸操作ボタン１６１４０と、カードユニットに対して遊技者の残高の返却指示を行う返却操作ボタン１６１４２と、遊技者の残高やカードユニットの状態を表示する球貸表示部１６１４４と、を備える。
【０２５２】
上皿１６１２６は、上皿ユニット１６１２６ａに設けられている。上皿ユニット１６１２６ａは、その上面に、チャンスボタン１６１３６、チャンスボタンランプ１６１３８、球貸操作ボタン１６１４０、返却操作ボタン１６１４２、球貸表示部１６１４４および球抜ボタン１６１３０を設けている。
【０２５３】
下皿１６１２８は、下皿ユニット１６１２８ａに設けられている。下皿１６１２８の排出口１６７０６は底面１６７０４に形成されている。
【０２５４】
上皿ユニット１６１２６ａと下皿ユニット１６１２８ａは、一体的に形成されている。なお、上皿ユニット１６１２６ａと下皿ユニット１６１２８ａは、別体で形成してもよい。
【０２５５】
図２８（ｄ）に示すように、下皿ユニット１６１２８ａの下皿１６１２８は、底面１６７０４に対してほぼ垂直に立ちあがり周囲を囲う壁部１６７００、１６７０１、１６７０２および１６７０３を有して構成される。底面１６７０４、壁部１６７００、１６７０１、１６７０２および１６７０３は一体で形成されている。
【０２５６】
壁部１６７００と壁部１６７０３は、互いに向かい合って形成され、壁部１６７０１と壁部１６７０２は、互いに向かい合って形成されている。
【０２５７】
壁部１６７００は払出口１６７０５を有し、払出口１６７０５から払出された遊技球は、底面１６７０４、壁部１６７００、１６７０１、１６７０２および１６７０３で囲まれた領域に貯留される。壁部１６７００、１６７０１、１６７０２および１６７０３のそれぞれにおいて、遊技球を貯留する領域側の面を内面と呼び、反対側の面を外面と呼ぶ。
【０２５８】
壁部１６７００の内面である面１６７００ａは平面である。壁部１６７０３の内面は、曲面である面１６７０３ａと、やはり曲面である面１６７０３ｂとで形成されており、面１６７０３ａと面１６７０３ｂが接する箇所には凸部１６７０３ｃを形成している。凸部１６７０３ｃは、壁部１６７０３の内面のうちで、面１６７００ａに最も近い。
【０２５９】
壁部１６７０３の外面である面１６７０３ｄは、壁部１６７０３の内面である面１６７０３ａおよび面１６７０３ｂに対応した形状であり、これにより壁部１６７０３の壁厚は全面に亘ってほぼ一定となっている。
【０２６０】
また、上皿ユニット１６１２６ａの外面形状は、下皿ユニット１６１２８ａの外面形状と一致していない（図２８（ｃ）、（ｄ）参照）。すなわち、上皿ユニット１６１２６ａの外面である面１６１２６ｂは、壁部１６７０３の面１６７０３ｄと異なる形状になっている。
【０２６１】
＜＜第十八の実施例＞＞
図２９は、本発明の第十八の実施例に係る貯留皿について説明する図であって、（ａ）は本発明の第十八の実施例に係る貯留皿を備えたパチンコ機の正面図であり、（ｂ）は本発明の第十八の実施例に係る貯留皿を備えたパチンコ機の上皿および下皿の近傍を拡大して示す斜視図であり、（ｃ）は本発明の第十八の実施例に係る貯留皿を備えたパチンコ機の上皿の近傍を拡大して示す平面図であり、（ｄ）は本発明の第十八の実施例に係る貯留皿を備えたパチンコ機の（ａ）におけるＡ−Ａ断面図である。
【０２６２】
パチンコ機１７１００は、図１に示したパチンコ機１００と同様の構造であり、詳しい説明は省略する。
【０２６３】
パチンコ機１７１００は、図１の球貯留皿付扉１０８に相当する球貯留皿付扉１７１０８をその前面に備える。
【０２６４】
球貯留皿付扉１７１０８は、複数の遊技球が貯留可能で且つ発射装置１１０（図１参照）へと遊技球を案内させる通路が設けられている上皿１７１２６と、上皿１７１２６に貯留しきれない遊技球を貯留する下皿１７１２８と、遊技者の操作によって上皿１７１２６に貯留された遊技球を払出口１７７０５を介して下皿１７１２８へと排出させる球抜ボタン１７１３０と、遊技者の操作によって下皿１７１２８に貯留された遊技球を排出口１７７０６から不図示の遊技球収集容器（俗称、ドル箱）へと排出させる球排出レバー（図示省略）と、遊技者の操作によって発射装置１１０（図１参照）へと案内された遊技球を遊技盤２００（図１参照）の遊技領域１２４（図１参照）へと打ち出す球発射ハンドル１３４（図１参照）と、遊技者の操作によって各種演出装置２０６（図３参照）の演出態様に変化を与えるチャンスボタン１７１３６と、チャンスボタン１７１３６を発光させるチャンスボタンランプ１７１３８と、遊技店に設置された不図示のカードユニット（ＣＲユニット）に対して球貸し指示を行う球貸操作ボタン１７１４０と、カードユニットに対して遊技者の残高の返却指示を行う返却操作ボタン１７１４２と、遊技者の残高やカードユニットの状態を表示する球貸表示部１７１４４と、を備える。
【０２６５】
上皿１７１２６は、上皿ユニット１７１２６ａに設けられている。上皿ユニット１７１２６ａは、その上面に、球貸操作ボタン１７１４０、返却操作ボタン１７１４２、球貸表示部１７１４４および球抜ボタン１７１３０を設けている。
【０２６６】
下皿１７１２８は、下皿ユニット１７１２８ａに設けられている。下皿ユニット１７１２６ａは、底面１７７０４および底面１７１３６ａを有する。底面１７７０４の高さと底面１７１３６ａの高さは同じである。なお、底面１７７０４の高さは底面１７１３６ａの高さよりも高くてもよいし、底面１７７０４の高さは底面１７１３６ａの高さよりも低くてもよい。底面１７１３６ａ上には、チャンスボタン１７１３６およびチャンスボタンランプ１７１３８を配置している。下皿１７１２８の排出口１７７０６は底面１７７０４に形成されている。なお、底面１７１３６ａ上に、球貸操作ボタン１７１４０、返却操作ボタン１７１４２、球貸表示部１７１４４および球抜ボタン１７１３０のいずれかを配置してもよい。底面１７１３６ａ上に、チャンスボタン１７１３６、チャンスボタンランプ１７１３８、球貸操作ボタン１７１４０、返却操作ボタン１７１４２、球貸表示部１７１４４および球抜ボタン１７１３０のうちの少なくとも一つを配置してもよいし、これらのうちの一つのみを配置してもよいし、これらの全てを配置してもよい。
【０２６７】
上皿ユニット１７１２６ａと下皿ユニット１７１２８ａは、一体的に形成されている。なお、上皿ユニット１７１２６ａと下皿ユニット１７１２８ａは、別体で形成してもよい。
【０２６８】
図２９（ｄ）に示すように、下皿ユニット１７１２８ａの下皿１７１２８は、底面１７７０４に対してほぼ垂直に立ちあがり周囲を囲う壁部１７７００、１７７０１、１７７０２および１７７０３を有して構成される。底面１７７０４、壁部１７７００、１７７０１、１７７０２および１７７０３は一体で形成されている。
【０２６９】
壁部１７７００と壁部１７７０３は、互いに向かい合って形成され、壁部１７７０１と壁部１７７０２は、互いに向かい合って形成されている。
【０２７０】
押下していないときのチャンスボタン１７１３６の高さは、壁部１７７０３の高さよりも低い。なお、押下していないときのチャンスボタン１７１３６の高さは、壁部１７７０３の高さと等しくてもよいし、壁部１７７０３の高さよりも高くてもよい。
【０２７１】
壁部１７７００は払出口１７７０５を有し、払出口１７７０５から払出された遊技球は、底面１７７０４、壁部１７７００、１７７０１、１７７０２および１７７０３で囲まれた領域に貯留される。壁部１７７００、１７７０１、１７７０２および１７７０３のそれぞれにおいて、遊技球を貯留する領域側の面を内面と呼び、反対側の面を外面と呼ぶ。
【０２７２】
壁部１７７００の内面である面１７７００ａは平面である。壁部１７７０３の内面は、曲面である面１７７０３ａと、やはり曲面である面１７７０３ｂとで形成されており、面１７７０３ａと面１７７０３ｂが接する箇所には凸部１７７０３ｃを形成している。面１７７０３ｂは、壁部１７７０３の内面のうちで、面１７７００ａに最も近い。なお、凸部１７７０３ｃが、壁部１７７０３の内面のうちで、面１７７００ａに最も近くてもよい。面１７７０３ｂと面１７７００ａとの間の領域は、遊技球が進入可能な広さである。なお、面１７７０３ｂと面１７７００ａとの間の領域は、遊技球が進入不可能でもよい。
【０２７３】
壁部１７７０３の外面である面１７７０３ｄは、壁部１７７０３の内面である面１７７０３ａおよび面１７７０３ｂに対応した形状であり、これにより壁部１７７０３の壁厚は全面に亘ってほぼ一定となっている。壁部１７７０３の形状は、チャンスボタン１７１３６の操作を妨げないように、操作領域を避けた形状である。
【０２７４】
また、上皿ユニット１７１２６ａの外面形状は、下皿ユニット１７１２８ａの外面形状と一致していない（図２９（ｃ）、（ｄ）参照）。すなわち、上皿ユニット１７１２６ａの外面である面１７１２６ｂは、底面１７１３６ａの外郭と異なる形状になっている。
【０２７５】
また、上皿ユニット１７１２６ａの外面形状は、壁部１７７０３の外面形状と一致している（図２９（ｃ）、（ｄ）参照）。すなわち、上皿ユニット１７１２６ａの外面には凹部１７１２６ｂを有し、壁部１７７０３の面１７７０３ｄと同様の形状になっている。上皿ユニット１７１２６ａの外面形状は、チャンスボタン１７１３６の操作を妨げないように、操作領域を避けた形状である。また、上皿ユニット１７１２６ａの外面形状は、チャンスボタン１７１３６の視認を妨げないように、遊技者のチャンスボタン１７１３６に向けた視線を避けた形状である。
【０２７６】
＜＜第十九の実施例＞＞
図３０は、本発明の第十九の実施例に係る貯留皿について説明する図であって、（ａ）は本発明の第十九の実施例に係る貯留皿を備えたパチンコ機の正面図であり、（ｂ）は本発明の第十九の実施例に係る貯留皿を備えたパチンコ機の上皿および下皿の近傍を拡大して示す斜視図であり、（ｃ）は本発明の第十九の実施例に係る貯留皿を備えたパチンコ機の上皿の近傍を拡大して示す平面図であり、（ｄ）は本発明の第十九の実施例に係る貯留皿を備えたパチンコ機の（ａ）におけるＡ−Ａ断面図である。
【０２７７】
パチンコ機１８１００は、図１に示したパチンコ機１００と同様の構造であり、詳しい説明は省略する。
【０２７８】
パチンコ機１８１００は、図１の球貯留皿付扉１０８に相当する球貯留皿付扉１８１０８をその前面に備える。
【０２７９】
球貯留皿付扉１８１０８は、複数の遊技球が貯留可能で且つ発射装置１１０（図１参照）へと遊技球を案内させる通路が設けられている上皿１８１２６と、上皿１８１２６に貯留しきれない遊技球を貯留する下皿１８１２８と、遊技者の操作によって上皿１８１２６に貯留された遊技球を払出口１８７０５を介して下皿１８１２８へと排出させる球抜ボタン１８１３０と、遊技者の操作によって下皿１８１２８に貯留された遊技球を排出口１８７０６から不図示の遊技球収集容器（俗称、ドル箱）へと排出させる球排出レバー（図示省略）と、遊技者の操作によって発射装置１１０（図１参照）へと案内された遊技球を遊技盤２００（図１参照）の遊技領域１２４（図１参照）へと打ち出す球発射ハンドル１３４（図１参照）と、遊技者の操作によって各種演出装置２０６（図３参照）の演出態様に変化を与えるチャンスボタン１８１３６と、演出装置２０６（図３参照）の演出態様に応じて例えば発光する装飾手段１８１３８と、遊技店に設置された不図示のカードユニット（ＣＲユニット）に対して球貸し指示を行う球貸操作ボタン１８１４０と、カードユニットに対して遊技者の残高の返却指示を行う返却操作ボタン１８１４２と、遊技者の残高やカードユニットの状態を表示する球貸表示部１８１４４と、を備える。
【０２８０】
上皿１８１２６は、上皿ユニット１８１２６ａに設けられている。上皿ユニット１８１２６ａは、その上面に、チャンスボタン１８１３６、球貸操作ボタン１８１４０、返却操作ボタン１８１４２、球貸表示部１８１４４および球抜ボタン１８１３０を設けている。
【０２８１】
下皿１８１２８は、下皿ユニット１８１２８ａに設けられている。下皿１８１２８の排出口１８７０６は底面１８７０４に形成されている。
【０２８２】
装飾手段１８１３８は、上皿ユニット１８１２６ａから下皿ユニット１８１２８ａへと亘って設けられている。装飾手段１８１３８の配置位置には、発光しない装飾手段を設けてもよいし、スピーカなどの出音手段を設けてもよいし、遊技者が操作する操作手段（例えば、チャンスボタン１８１３６、球貸操作ボタン１８１４０、返却操作ボタン１８１４２、球貸表示部１８１４４および球抜ボタン１８１３０）を設けてもよいし、演出装置２０６（図３参照）の演出態様に応じて例えば可動する可動手段を設けてもよい。
【０２８３】
上皿ユニット１８１２６ａと下皿ユニット１８１２８ａは、一体的に形成されている。なお、上皿ユニット１８１２６ａと下皿ユニット１８１２８ａは、別体で形成してもよい。
【０２８４】
図３０（ｄ）に示すように、下皿ユニット１８１２８ａの下皿１８１２８は、底面１８７０４に対してほぼ垂直に立ちあがり周囲を囲う壁部１８７００、１８７０１、１８７０２および１８７０３を有して構成される。底面１８７０４、壁部１８７００、１８７０１、１８７０２および１８７０３は一体で形成されている。
【０２８５】
壁部１８７００と壁部１８７０３は、互いに向かい合って形成され、壁部１８７０１と壁部１８７０２は、互いに向かい合って形成されている。
【０２８６】
壁部１８７００は払出口１８７０５を有し、払出口１８７０５から払出された遊技球は、底面１８７０４、壁部１８７００、１８７０１、１８７０２および１８７０３で囲まれた領域に貯留される。壁部１８７００、１８７０１、１８７０２および１８７０３のそれぞれにおいて、遊技球を貯留する領域側の面を内面と呼び、反対側の面を外面と呼ぶ。
【０２８７】
壁部１８７００の内面である面１８７００ａは曲面である。壁部１８７０３の内面は、曲面である面１８７０３ａと、装飾手段１８１３８の形状に応じた平面である段差面１８７０３ｄと、装飾手段１８１３８の形状に応じた曲面である面１８７０３ｃと、装飾手段１８１３８の形状に応じた平面である段差面１８７０３ｅと、曲面である面１８７０３ｂにより形成されている。段差面１８７０３ｄと面１８７０３ｃが接する箇所には凸部１８７０３ｆを形成している。面１８７０３ｃと段差面１８７０３ｅが接する箇所には凸部１８７０３ｇを形成している。凸部１８７０３ｆおよび凸部１８７０３ｇは、壁部１８７０３の内面のうちで、面１８７００ａに最も近い。
【０２８８】
壁部１８７０３の外面である面１８７０３ｈは、壁部１８７０３の内面である面１８７０３ａおよび面１８７０３ｂに対応した形状である。壁部１８７０３の壁厚は、面１８７０３ａおよび面１８７０３ｂの位置においてほぼ一定になっている。
【０２８９】
また、上皿ユニット１８１２６ａの外面形状は、下皿ユニット１８１２８ａの外面形状と一致している（図３０（ｃ）、（ｄ）参照）。すなわち、上皿ユニット１８１２６ａの外面である面１８１２６ｂは、壁部１８７０３の面１８７０３ｈと同様の形状になっている。
【０２９０】
払出口１８７０５や排出口１８７０６は、装飾手段１８１３８の裏側に設けられており、遊技者から視認しにくい。なお、遊技者から視認しやすい位置に払出口１８７０５や排出口１８７０６を設けてもよい。
【０２９１】
＜スロットマシンへの適用＞
本発明に係る遊技台は、図３１に示す「複数種類の図柄が施され、回転駆動される複数のリール１００２と、リールの回転を指示するためのスタートレバー１００４と、各々のリールに対応して設けられ、リールの回転を個別に停止させるための停止ボタン１００６と、複数種類の役の内部当選の当否を抽選により判定する抽選手段（入賞役内部抽選）と、抽選手段の抽選結果に基づいてリールの回転の停止に関する停止制御を行うリール停止制御手段（リール停止制御処理）と、抽選手段の抽選結果に基づいて停止されたリールによって表示される図柄組合せが、内部当選した役に対応して予め定めた図柄組合せであるか否かの判定をする判定手段（入賞判定処理）と、図柄の停止態様が所定の入賞態様である場合、所定の入賞態様に対応する遊技媒体を払出す遊技媒体払出処理を行う払出制御手段（メダル払出処理１００８）と、抽選手段の抽選結果に基づいて演出を実行する演出手段１０１０と、を備えた、スロットマシン１０００」にも好適である。
【０２９２】
スロットマシン１０００は、所定の遊技領域１０１２に球を発射する発射装置１０１４と、発射装置から発射された球を入球可能に構成された入賞口１０１６と、入賞口１０１６に入球した球を検出する検出手段１０１８と、検出手段１０１８が球を検出した場合に球を払出す払出手段１０２０と、所定の図柄(識別情報)を変動表示する可変表示装置１０２２と、可変表示装置１０２２を遮蔽する位置に移動可能なシャッタ１０２４と、所定動作態様で動作する可動体１０２６と、を備え、入賞口に遊技球が入って入賞することを契機として、可変表示装置１０２２が図柄を変動させた後に停止表示させて、遊技を演出するような演出装置１０１０を備えていてもよい。
【０２９３】
スロットマシン１０００には、スロットマシンから払い出された遊技媒体（例えばメダル）を受ける受け皿１０２８が設けられていてもよい。
【０２９４】
＜封入式遊技機への適用＞
本発明に係る遊技台は、遊技機内に封入された遊技球を循環使用する封入式遊技機にも適用可能である。
【０２９５】
＜付記＞
なお、以上説明した本発明は、
１．
遊技媒体を少なくとも貯留可能な貯留皿（例えば、下皿１２８、１１２８、２１２８、３１２８、４１２８、５１２８、６１２８、７１２８、８１２８、９１２８、１０１２８、１１１２８、１２１２８、１３１２８、１４１２８、１５１２８、１６１２８、１７１２８、１８１２８、受け皿１０２８）を備えた遊技台であって、
前記貯留皿は、第一の壁部（例えば、壁部７０３、１７００、２７０１、３７０１、４７０１、５７０３、６７００、６７０３、７７０３、８７０３、９７０３、１０７０３、１１７０３、１２７０３、１３７０３、１４７０３、１５７０３、１６７０３、１７７０３、１８７０３）が少なくとも設けられたものであり、
前記貯留皿は、第二の壁部（例えば、壁部７００、１７０３、２７０２、３７０２、４７０２、５７００、６７０３、６７００、７７００、８７００、９７００、１０７００、１１７００、１２７００、１３７００、１４７００、１５７００、１６７００、１７７００、１８７００）が少なくとも設けられたものであり、
前記第一の壁部は、前記第二の壁部と向かい合う位置に少なくとも設けられたものであり、
前記第一の壁部の少なくとも一部（例えば、凸部７０３ｃ、１７００ｃ、２７０１ｃ、３７０１ｃ、４７０１ｃ、５７０３ｃ、６７００ｃ、６７０３ａ、６７０３ｂ、７７０３ｃ、８７０３ｃ、９７０３ｃ、１０７０３ｃ、１１７０３ｃ、１２７０３ｃ、１３７０３ｃ、１４７０３ｃ、１５７０３ｃ、１６７０３ｃ、１７７０３ｃ、１８７０３ｃ）は、前記第二の壁部の方向に少なくとも突出しているものである、
ことを特徴とする遊技台、としたので、
貯留皿に特徴を持った遊技台を実現することができる。
【０２９６】
また、スペースを有効活用することができる場合がある。
【０２９７】
また本発明は、
２．
１．に記載の遊技台であって、
前記第一の壁部における第一の位置（例えば、凸部７０３ｃ、１７００ｃ、２７０１ｃ、３７０１ｃ、４７０１ｃ、５７０３ｃ、６７００ｃ、７７０３ｃ、８７０３ｃ、９７０３ｃ、１０７０３ｃ、１１７０３ｃ、１２７０３ｃ、１３７０３ｃ、１４７０３ｃ、１５７０３ｃ、１６７０３ｃ、１７７０３ｃ、１８７０３ｃ）は、該第一の壁部における第二の位置（例えば、面７０３ａ、１７００ａ、２７０１ａ、３７０１ａ、４７０１ａ、５７０３ａ、６７００ａ、７７０３ａ、８７０３ａ、９７０３ａ、１０７０３ａ、１１７０３ａ、１２７０３ａ、１３７０３ａ、１４７０３ａ、１５７０３ａ、１６７０３ａ、１７７０３ａ、１８７０３ａ）よりも少なくとも前記第二の壁部側の位置であり、
前記第一の位置は、前記第一の壁部における第三の位置（例えば、面７０３ｂ、１７００ｂ、２７０１ｂ、３７０１ｂ、４７０１ｂ、５７０３ｂ、６７００ｂ、７７０３ｂ、８７０３ｂ、９７０３ｂ、１０７０３ｂ、１１７０３ｂ、１２７０３ｂ、１３７０３ｂ、１４７０３ｂ、１５７０３ｂ、１６７０３ｂ、１７７０３ｂ、１８７０３ｂ）よりも少なくとも前記第二の壁部側の位置である、
ことを特徴とする遊技台、としたので、
スペースを有効活用することができる場合がある。
【０２９８】
また本発明は、
２．に記載の遊技台であって、
前記第一の位置は、第一の面（例えば、面７０３ａおよび７０３ｂからなる面、面１７００ａおよび１７０３ｂからなる面、面２７０１ａおよび２７０３ｂからなる面、面３７０１ａおよび３７０３ｂからなる面、面４７０１ａおよび４７０３ｂからなる面、面５７０３ａおよび５７０３ｂからなる面、面６７００ａおよび６７０３ｂからなる面、面７７０３ａおよび７７０３ｂからなる面、面８７０３ａおよび８７０３ｂからなる面、面９７０３ａおよび９７０３ｂからなる面、面１０７０３ａおよび１０７０３ｂからなる面、面１１７０３ａおよび１１７０３ｂからなる面、面１２７０３ａおよび１２７０３ｂからなる面、面１３７０３ａおよび１３７０３ｂからなる面、面１４７０３ａおよび１４７０３ｂからなる面、面１５７０３ａおよび１５７０３ｂからなる面、面１６７０３ａおよび１６７０３ｂからなる面、面１７７０３ａおよび１７７０３ｂからなる面、面１８７０３ａおよび１８７０３ｂからなる面）における第二の面（例えば、面７００ａ、１７０３ａ、２７０２ａ、３７０２ａ、４７０２ａ、５７００ａ、６７０３ａ、７７００ａ、８７００ａ、９７００ａ、１０７００ａ、１１７００ａ、１２７００ａ、１３７００ａ、１４７００ａ、１５７００ａ、１６７００ａ、１７７００ａ、１８７００ａ）の方向に最も突出した位置であってもよい。
【０２９９】
また本発明は、
２．に記載の遊技台であって、
前記第二の位置は、第三の面（例えば、面７０３ａ、１７００ａ、２７０１ａ、３７０１ａ、４７０１ａ、５７０３ａ、６７００ａ、７７０３ａ、８７０３ａ、９７０３ａ、１０７０３ａ、１１７０３ａ、１２７０３ａ、１３７０３ａ、１４７０３ａ、１５７０３ａ、１６７０３ａ、１７７０３ａ、１８７０３ａ、３７０１ｄ、４７０１ｄ）における前記第一の位置よりも遊技者側の位置であってもよい。
【０３００】
また本発明は、
２．に記載の遊技台であって、
前記第三の位置は、前記第一の面における前記第一の位置よりも遊技者側の位置であってもよい。
【０３０１】
また本発明は、
２．に記載の遊技台であって、
前記第一の位置は、前記第一の面と第三の面（例えば、面７０３ａ、１７００ａ、２７０１ａ、３７０１ａ、４７０１ａ、５７０３ａ、６７００ａ、７７０３ａ、８７０３ａ、９７０３ａ、１０７０３ａ、１１７０３ａ、１２７０３ａ、１３７０３ａ、１４７０３ａ、１５７０３ａ、１６７０３ａ、１７７０３ａ、１８７０３ａ、３７０１ｄ、４７０１ｄ）が接する位置であってもよい。
【０３０２】
また本発明は、
２．に記載の遊技台であって、
前記第二の位置は、前記第一の面における前記第一の位置よりも遊技者側の位置であってもよい。
【０３０３】
また本発明は、
２．に記載の遊技台であって、
前記第三の位置は、第三の面（例えば、面７０３ａ、１７００ａ、２７０１ａ、３７０１ａ、４７０１ａ、５７０３ａ、６７００ａ、７７０３ａ、８７０３ａ、９７０３ａ、１０７０３ａ、１１７０３ａ、１２７０３ａ、１３７０３ａ、１４７０３ａ、１５７０３ａ、１６７０３ａ、１７７０３ａ、１８７０３ａ、３７０１ｄ、４７０１ｄ）における前記第一の位置よりも遊技者側の位置であってもよい。
【０３０４】
また本発明は、
３．
１．または２．に記載の遊技台であって、
前記第二の壁部は、前記第一の壁部の方向に少なくとも突出していないものである、
ことを特徴とする遊技台、としたので、
スペースを有効活用することができる場合がある。
【０３０５】
また本発明は、
４．
１．乃至３．のいずれか一項に記載の遊技台であって、
前記第一の壁部は、遊技者側に少なくとも設けられたものである、
ことを特徴とする遊技台、としたので、
遊技者側の壁部を凹ませるため、貯留可能な遊技媒体の量を少なく見せ、遊技者に遊技媒体の排出を促すことができる場合がある。
【０３０６】
また本発明は、
５．
１．乃至４．のいずれか一項に記載の遊技台であって、
前記貯留皿は、遊技媒体を少なくとも払出可能な払出口（例えば、払出口７０５、５７０５、６７０５、７７０５、８７０５、９７０５、１０７０５、１１７０５、１２７０５、１３７０５、１４７０５、１５７０５、１６７０５、１７７０５、１８７０５）が少なくとも設けられたものであり、
前記払出口は、前記第二の壁部に少なくとも設けられたものである、
ことを特徴とする遊技台、としたので、
払出口の反対側を凹ませ、貯留可能な遊技媒体の量を少なく見せ、遊技者に遊技媒体の排出を促すことができる場合がある。
【０３０７】
また本発明は、
５．に記載の遊技台であって、
前記遊技媒体は、遊技球であってもよい。
【０３０８】
なお、前記遊技媒体は、メダルであってもよい。
【０３０９】
また本発明は、
１．乃至５．のいずれか一項に記載の遊技台であって、
上皿（上皿１２６、１４１２６、１５１２６、１６１２６、１７１２６、１８１２６、上皿ユニット１４１２６ａ、１５１２６ａ、１６１２６ａ、１７１２６ａ、１８１２６ａ）を備え、前記貯留皿は、前記上皿よりも下に設けられた下皿であってもよい。
【０３１０】
なお、上皿（上皿１２６、１４１２６、１５１２６、１６１２６、１７１２６、１８１２６、上皿ユニット１４１２６ａ、１５１２６ａ、１６１２６ａ、１７１２６ａ、１８１２６ａ）を備え、前記貯留皿は前記上皿であってもよい。
【０３１１】
また本発明は、
１．乃至５．のいずれか一項に記載の遊技台であって、
前記第二の壁部は、前記第一の壁部の方向へ少なくとも凹んでいるものであってもよい。
【０３１２】
なお、前記第二の壁部は、前記第一の壁部の方向と反対の方向へ少なくとも凹んでいるものであってもよい。
【０３１３】
なお、前記第二の壁部は、少なくとも曲面を有するものであってもよい。
【０３１４】
なお、前記第一の壁部は、少なくとも曲面を有するものであってもよい。
【０３１５】
また本発明は、
１．乃至５．のいずれか一項に記載の遊技台であって、
前記第一の壁部は、遊技球と接触可能な第一の面（例えば、面７０３ａおよび７０３ｂからなる面、面１７００ａおよび１７０３ｂからなる面、面２７０１ａおよび２７０３ｂからなる面、面３７０１ａおよび３７０３ｂからなる面、面４７０１ａおよび４７０３ｂからなる面、面５７０３ａおよび５７０３ｂからなる面、面６７００ａおよび６７０３ｂからなる面、面７７０３ａおよび７７０３ｂからなる面、面８７０３ａおよび８７０３ｂからなる面、面９７０３ａおよび９７０３ｂからなる面、面１０７０３ａおよび１０７０３ｂからなる面、面１１７０３ａおよび１１７０３ｂからなる面、面１２７０３ａおよび１２７０３ｂからなる面、面１３７０３ａおよび１３７０３ｂからなる面、面１４７０３ａおよび１４７０３ｂからなる面、面１５７０３ａおよび１５７０３ｂからなる面、面１６７０３ａおよび１６７０３ｂからなる面、面１７７０３ａおよび１７７０３ｂからなる面、面１８７０３ａおよび１８７０３ｂからなる面）を有するものであってもよい。
【０３１６】
なお、前記第二の壁部は、遊技球と接触可能な第二の面（例えば、面７００ａ、１７０３ａ、２７０２ａ、３７０２ａ、４７０２ａ、５７００ａ、６７０３ａ、７７００ａ、８７００ａ、９７００ａ、１０７００ａ、１１７００ａ、１２７００ａ、１３７００ａ、１４７００ａ、１５７００ａ、１６７００ａ、１７７００ａ、１８７００ａ）を有するものであってもよい。
【０３１７】
なお、前記第一の面は、前記第二の面と向かい合う位置に少なくとも設けられた面であってもよい。
【０３１８】
なお、前記第一の面は、前記第二の面の方向に凸となる曲面を少なくとも有するものであってもよい。
【０３１９】
なお、前記第一の面は、前記第二の面の方向と異なる方向（例えば、第二の面と反対の方向、第二の面と異なる面の方向）に凸となる曲面を少なくとも有するものであってもよい。
【０３２０】
なお、前記第一の面は、平面であってもよい。
【０３２１】
なお、前記第一の面は、曲面であってもよい。
【０３２２】
なお、前記第一の面は、前記貯留皿の底面と異なる面であってもよい。
【０３２３】
なお、前記第一の壁部は、遊技球と接触可能な前記第三の面を有するものであってもよい。
【０３２４】
なお、前記第二の面は、前記第一の面と向かい合う位置に少なくとも設けられた面であってもよい。
【０３２５】
なお、前記第二の面は、前記第一の面の方向に凸となる曲面を少なくとも有するものであってもよい。
【０３２６】
なお、前記第二の面は、前記第一の面の方向と異なる方向（例えば、第一の面と反対の方向、第一の面と異なる面の方向）に凸となる曲面を少なくとも有するものであってもよい。
【０３２７】
なお、前記第二の面は、平面であってもよい。
【０３２８】
なお、前記第二の面は、曲面であってもよい。
【０３２９】
なお、前記第二の面は、前記貯留皿の底面と異なる面であってもよい。
【０３３０】
なお、前記第三の面は、前記第二の面と向かい合う位置に少なくとも設けられた面であってもよい。
【０３３１】
なお、前記第三の面は、前記第二の面の方向に凸となる曲面を少なくとも有するものであってもよい。
【０３３２】
なお、前記第三の面は、前記第二の面の方向と異なる方向（例えば、第二の面と反対の方向、第二の面と異なる面の方向）に凸となる曲面を少なくとも有するものであってもよい。
【０３３３】
なお、前記第三の面は、平面であってもよい。
【０３３４】
なお、前記第三の面は、曲面であってもよい。
【０３３５】
なお、前記第三の面は、前記貯留皿の底面と異なる面であってもよい。
【０３３６】
また本発明は、
１．乃至５．のいずれか一項に記載の遊技台であって、
前記第一の壁部は、角部（凸部１７００ｃ、６７００ｃ、１４７０３ｃ、１５７０３ｃ、１６７０３ｃ、１７７０３ｃ、角部７７０３ｆ、７７０３ｇ、８７０３ｆ、８７０３ｇ、９７０３ｆ、１０７０３ｆ、１１７０３ｆ、１２７０３ｆ、１３７０３ｆ、１８７０３ｆ、１８７０３ｇ）を少なくとも有するものであってもよい。
【０３３７】
なお、前記第一の壁部は、第一の角部（角部７７０３ｆ、８７０３ｆ、９７０３ｆ、１０７０３ｆ、１１７０３ｆ、１２７０３ｆ、１３７０３ｆ、１８７０３ｆ）と第二の角部（７７０３ｇ、８７０３ｇ、１８７０３ｇ）を少なくとも有するものであってもよい。
【０３３８】
なお、前記第一の壁部は、複数の角部を有するものであってもよい。
【０３３９】
なお、前記第一の壁部は、３以上の角部を有するものであってもよい。
【０３４０】
また本発明は、
１．乃至５．のいずれか一項に記載の遊技台であって、
前記第二の壁部は、角部（凸部６７０３ｃ）を少なくとも有するものであってもよい。
【０３４１】
なお、前記第二の壁部は、第一の角部と第二の角部を少なくとも有するものであってもよい。
【０３４２】
なお、前記第二の壁部は、複数の角部を有するものであってもよい。
【０３４３】
なお、前記第二の壁部は、３以上の角部を有するものであってもよい。
【０３４４】
また本発明は、
１．乃至５．のいずれか一項に記載の遊技台であって、
角部は、前記第一の壁部（または前記第二の壁部）における複数の面からなるものであってもよい。
【０３４５】
なお、前記角部は、前記第一の壁部（または前記第二の壁部）と隣り合う壁部の面と、前記第一の壁部（または前記第二の壁部）の面からなるものであってもよい。
【０３４６】
また本発明は、
１．乃至５．のいずれか一項に記載の遊技台であって、
前記第一の壁部と前記第二の壁部は、一体的に構成されたものであってもよい。
【０３４７】
また本発明は、
１．乃至５．のいずれか一項に記載の遊技台であって、
前記第一の壁部と前記第二の壁部は、別体で構成されたものであってもよい。
【０３４８】
また本発明は、
１．乃至５．のいずれか一項に記載の遊技台であって、
表示手段（例えば、装飾図柄表示装置２０８、液晶表示装置２０８、セグ、ドット、リール１００２）を有するものであってもよい。
【０３４９】
なお、前記第二の壁部は、前記表示手段側に設けられたものであってもよい。
【０３５０】
また本発明は、
１．乃至５．のいずれか一項に記載の遊技台であって、
遊技盤を有するものであってもよい。
【０３５１】
なお、前記第二の壁部は、前記遊技盤側に設けられたものであってもよい。
【０３５２】
また本発明は、
１．乃至５．のいずれか一項に記載の遊技台であって、
本体と、前記本体に取り付けられた扉体を備えるものであってもよい。
【０３５３】
なお、前記貯留皿は、前記扉体に設けられているものであってもよい。
【０３５４】
なお、前記貯留皿は、前記本体に設けられているものであってもよい。
【０３５５】
なお、前記上皿は、前記扉体に設けられているものであってもよい。
【０３５６】
なお、前記下皿は、前記扉体に設けられているものであってもよい。
【０３５７】
なお、前記下皿は、前記本体に設けられているものであってもよい。
【０３５８】
また本発明は、
１．乃至５．のいずれか一項に記載の遊技台であって、
前記第一の壁部における前記第二の壁部の方向へ突出した部分の前側に部品が設けられていてもよい。
【０３５９】
なお、前記第一の壁部の一部は、前記部品が前側に設けられていない部分よりも視認困難であってもよい。
【０３６０】
なお、前記部品が前側に設けられている領域は、前記貯留皿に貯留されている遊技媒体が、前記部品が前側に設けられていない領域よりも視認困難であってもよい。
【０３６１】
なお、前記部品は、装飾手段（例えば発光手段）であってもよい。
【０３６２】
なお、前記部品は、操作手段（チャンスボタンなどの演出用の操作手段や貸出ボタン、返却ボタン、ストップボタン、スタートスイッチ（レバーも含む）など）であってもよい。
【０３６３】
なお、前記部品は、演出手段（可動手段、表示手段など）であってもよい。
【０３６４】
＜付記２＞
なお、以上説明した本発明は、
１．
扉体（例えば、球貯留皿付扉１８１０８）と、
上皿ユニット（例えば、上皿ユニット１８１２６ａ）と、
下皿ユニット（例えば、下皿ユニット１８１２８ａ）と、
演出手段（例えば、チャンスボタン１８１３６および装飾手段１８１３８）と、
を備えた遊技台であって、
前記扉体は、前記演出手段が設けられたものであり、
前記扉体は、前記上皿ユニットが設けられたものであり、
前記扉体は、前記下皿ユニットが設けられたものであり、
前記上皿ユニットは、遊技球を貯留可能な領域（以下、「第一の貯留領域」という。）が設けられたユニットであり、
前記下皿ユニットは、前記第一の貯留領域に貯留しきれない遊技球を貯留可能な領域（以下、「第二の貯留領域」という。）が設けられたユニットであり、
前記下皿ユニットは、該下皿ユニットの底面と対向する位置に上面があるように構成されており、
前記下皿ユニットの第一の壁（例えば、壁部１８７０３）が、該下皿ユニットの第二の壁（例えば、壁部１８７００）と向かい合う位置にあるように構成されており、
前記第一の壁は、遊技者側に設けられた壁であり、
前記第二の壁は、排出口（例えば、払出口１８７０５）が設けられた壁であり、
前記排出口とは、前記第一の貯留領域に貯留しきれない遊技球が排出される出口のことであり、
前記排出口から排出された遊技球が前記第二の貯留領域へ貯留される場合があるように構成されており、
前記第一の壁のうちの一部（例えば、面１８７０３ｃ）は、該第一の壁のうちの一部以外の前記第一の壁のうちの他部（例えば、面１８７０３ａ）よりも、前記第二の壁の側に突出しているように構成され、
前記演出手段は、前記第一の壁のうちの一部の手前側であって、少なくとも前記第一の壁のうちの一部と前記第一の壁のうちの他部との段差位置に設けられており、
前記演出手段によって前記第二の壁の一部がオーバーラップされることにより、前記第二の貯留領域の一部が該演出手段の後ろに設けられているように構成される、
ことを特徴とする遊技台、としたので、
・貯留皿に特徴を持った遊技台を実現することができる。
・また、演出手段が下皿ユニットの一部をオーバーラップしているので下皿ユニットの一部が見にくくなっているが、演出手段のメンテナンスを行う際に下皿ユニットの見にくくなっている領域も一緒に確認させることができるので、メンテナンス性を向上させることができる場合がある。
・また、演出手段による演出に注目するついでに下皿ユニットを確認した際に、下皿ユニットの一部が見にくくなっていることにより、遊技者が下皿ユニットに手をいれて確認することを促し、下皿ユニットに残っている遊技球を取り逃すことを防ぐことができる場合がある。
【０３６５】
また本発明は、
２．
１．に記載の遊技台であって、
前記演出手段によって前記第二の壁の一部がオーバーラップされることにより、前記排出口が該演出手段の後ろに設けられているように構成される、
ことを特徴とする遊技台、としたので、
・排出口が見にくくなっているので、遊技者が排出口に手を入れる等のいたずらを防ぐことができる場合がある。
【０３６６】
また本発明は、
３．
１．または２．に記載の遊技台であって、
前記下皿ユニットは、第二の排出口（例えば、排出口１８７０６）が設けられたユニットであり、
前記排出口とは、第一の排出口のことであり、
前記第二の排出口とは、前記第二の貯留領域へ排出された遊技球を前記下皿ユニットの外へ排出する出口のことであり、
前記演出手段によって前記第二の壁の一部がオーバーラップされることにより、前記第二の排出口が該演出手段の後ろに設けられているように構成される、
特徴とする遊技台、としたので、
・演出手段の裏側の領域が見にくくなっていても、第二の排出口が演出手段の裏側にあれば、遊技者から見にくい領域にある遊技球を排出しやすいので、遊技球を取り逃すことを防ぐことができる場合がある。
【０３６７】
また本発明は、
４．
１．乃至３．のいずれか一項に記載の遊技台であって、
前記演出手段が、前記上皿ユニットと前記下皿ユニットに亘って設けられている、
ことを特徴とする遊技台、とした。
【０３６８】
また本発明は、
５．
１．乃至４．のいずれか一項に記載の遊技台であって、
前記第二の壁が、前記第一の壁の方向に突出しないように構成されている、
ことを特徴とする遊技台、とした。
【０３６９】
また本発明は、
６．
１．乃至５．のいずれか一項に記載の遊技台であって、
遊技盤と、
第二の演出手段を備え、
前記遊技盤は、前記第二の演出手段（例えば、演出装置２０６、装飾図柄表示装置２０８、装飾手段１８１３８）が設けられた盤であり、
前記演出手段とは、演出操作手段（例えば、チャンスボタン１８１３６）のことであり、
前記演出操作手段の操作があることにより、前記第二の演出手段によって行われる演出の態様が変化するように構成されている、
ことを特徴とする遊技台、とした。
【０３７０】
また本発明は、
７．
１．乃至６．のいずれか一項に記載の遊技台であって、
前記上皿ユニットが前記下皿ユニットと別体で構成されている、
ことを特徴とする遊技台、とした。
【０３７１】
＜付記３＞
なお、以上説明した本発明は、
１．
貯留皿（例えば、下皿ユニット１８１２８ａ）と、
演出手段（例えば、チャンスボタン１８１３６および装飾手段１８１３８）と、
を備えた遊技台であって、
前記演出手段が、前記貯留皿の少なくとも一部よりも手前側に設けられている、
ことを特徴とする遊技台、としたので、
・貯留皿に特徴を持った遊技台を実現することができる。
【０３７２】
また本発明は、
２．
１．に記載の遊技台であって、
前記貯留皿の第一の壁（例えば、壁部１８７０３）における第一の部位（例えば、面１８７０３ａ）が、該第一の壁における第二の部位（例えば、面１８７０３ｃ）よりも、手前側に設けられており、
請求項１に記載の「前記演出手段が、前記貯留皿の少なくとも一部よりも手前側に設けられている、」とは、「前記演出手段は、前記第二の部位の手前側であって、少なくとも前記第二の部位と前記第一の部位との段差位置に設けられている、」ことである、
ことを特徴とする遊技台、とした。
【０３７３】
また本発明は、
３．
２．に記載の遊技台であって、
前記貯留皿とは、下皿ユニット（例えば、下皿ユニット１８１２８ａ）のことである、
ことを特徴とする遊技台、とした。
【０３７４】
また本発明は、
４．
３．に記載の遊技台であって、
上皿ユニット（例えば、上皿ユニット１８１２６ａ）と、
を備え、
前記上皿ユニットは、遊技球を貯留可能な領域（以下、「第一の貯留領域」という。）が設けられたユニットであり、
前記下皿ユニットは、前記第一の貯留領域に貯留しきれない遊技球を貯留可能な領域（以下、「第二の貯留領域」という。）が設けられたユニットである、
ことを特徴とする遊技台、とした。
【０３７５】
また本発明は、
５．
４．に記載の遊技台であって、
前記第一の壁が、前記下皿ユニットの第二の壁（例えば、壁部１８７００）と向かい合う位置にあるように構成されており、
前記第一の壁は、遊技者側に設けられた壁である、
ことを特徴とする遊技台、とした。
【０３７６】
また本発明は、
６．
５．に記載の遊技台であって、
前記第二の壁は、排出口（例えば、払出口１８７０５）が設けられた壁であり、
前記排出口とは、前記第一の貯留領域に貯留しきれない遊技球が排出される出口のことであり、
前記排出口から排出された遊技球が前記第二の貯留領域へ貯留される場合があるように構成されている、
ことを特徴とする遊技台、とした。
【０３７７】
また本発明は、
７．
６．に記載の遊技台であって、
前記演出手段によって前記第二の壁の一部がオーバーラップされることにより、前記排出口が該演出手段の後ろに設けられているように構成される、
ことを特徴とする遊技台、とした。
【０３７８】
また本発明は、
８．
６．に記載の遊技台であって、
前記下皿ユニットは、第二の排出口（例えば、排出口１８７０６）が設けられたユニットであり、
前記排出口とは、第一の排出口のことであり、
前記第二の排出口とは、前記第二の貯留領域へ排出された遊技球を前記下皿ユニットの外へ排出する出口のことであり、
前記演出手段によって前記第二の壁の一部がオーバーラップされることにより、前記第二の排出口が該演出手段の後ろに設けられているように構成される、
ことを特徴とする遊技台、とした。
【０３７９】
また本発明は、
９．
６．乃至８．のいずれか一項に記載の遊技台であって、
前記演出手段が、前記上皿ユニットと前記下皿ユニットに亘って設けられている、
ことを特徴とする遊技台、とした。
【０３８０】
また本発明は、
１０．
６．乃至９．のいずれか一項に記載の遊技台であって、
前記第二の壁が、前記第一の壁の方向に突出しないように構成されている、
ことを特徴とする遊技台、とした。
【０３８１】
また本発明は、
１１．
６．乃至１０．のいずれか一項に記載の遊技台であって、
遊技盤と、
第二の演出手段を備え、
前記遊技盤は、前記第二の演出手段が設けられた盤であり、
前記演出手段とは、演出操作手段のことであり、
前記演出操作手段の操作があることにより、前記第二の演出手段によって行われる演出の態様が変化するように構成されている、
ことを特徴とする遊技台、とした。
【０３８２】
また本発明は、
１２．
６．乃至１１．のいずれか一項に記載の遊技台であって、
前記上皿ユニットが前記下皿ユニットと別体で構成されている、
ことを特徴とする遊技台、とした。
【０３８３】
また本発明は、
１３．
１．乃至１２．のいずれか一項に記載の遊技台であって、
前記演出手段は、出音手段を含む、
ことを特徴とする遊技台、とした。
【０３８４】
また本発明は、
１４．
１．乃至１３．のいずれか一項に記載の遊技台であって、
前記演出手段は、発光手段を含む、
ことを特徴とする遊技台、とした。
【０３８５】
＜付記４＞
なお、以上説明した本発明は、
１．
演出手段（例えば、チャンスボタン１８１３６および装飾手段１８１３８）と、
上皿ユニット（例えば、上皿ユニット１８１２６ａ）と、
下皿ユニット（例えば、下皿ユニット１８１２８ａ）と、
を備えた遊技台であって、
前記下皿ユニットの第一の壁（例えば、壁部１８７０３）における第一の部位（例えば、面１８７０３ａ）が、該第一の壁における第二の部位（例えば、面１８７０３ｃ）よりも、手前側に設けられており、
前記演出手段は、前記第二の部位の手前側であって、少なくとも前記第二の部位と前記第一の部位との段差位置に設けられており、
前記上皿ユニットは、遊技球を貯留可能な領域（以下、「第一の貯留領域」という。）が設けられたユニットであり、
前記下皿ユニットは、前記第一の貯留領域に貯留しきれない遊技球を貯留可能な領域（以下、「第二の貯留領域」という。）が設けられたユニットであり、
前記第一の壁が、前記下皿ユニットの第二の壁（例えば、壁部１８７００）と向かい合う位置にあるように構成されており、
前記第一の壁は、遊技者側に設けられた壁であり、
前記第二の壁は、第一の排出口が設けられた壁であり、
前記第一の排出口とは、前記第一の貯留領域に貯留しきれない遊技球が排出される出口のことであり、
前記第一の排出口から排出された遊技球が前記第二の貯留領域へ貯留される場合があるように構成されており、
前記演出手段によって前記第二の壁の一部がオーバーラップされることにより、前記第一の排出口が該演出手段の後ろに設けられているように構成され、
前記下皿ユニットは、第二の排出口（例えば、排出口１８７０６）が設けられたユニットであり、
前記第二の排出口とは、前記下皿ユニットに貯留されている遊技球を前記下皿ユニットの外へ排出する出口のことであり、
前記第二の排出口は、前記第二の部位と前記第一の排出口との間に設けられている、
ことを特徴とする遊技台、としたので、
・貯留皿に特徴を持った遊技台を実現することができる。
また本発明は、
２．
１．に記載の遊技台であって、
前記第二の排出口は、前記演出手段の後方側に設けられている、
ことを特徴とする遊技台、とした。
また本発明は、
３．
１．または２．に記載の遊技台であって、
前記演出手段が、前記上皿ユニットと前記下皿ユニットに亘って設けられている、
ことを特徴とする遊技台、とした。
また本発明は、
４．
１．乃至３．のいずれか一項に記載の遊技台であって、
前記第二の壁は、前記第一の壁の方向に突出しない、
ことを特徴とする遊技台、とした。
また本発明は、
５．
１．乃至４．のいずれか一項に記載の遊技台であって、
遊技盤と、
第二の演出手段と、
を備え、
前記遊技盤は、前記第二の演出手段が設けられた盤であり、
前記演出手段とは、演出操作手段のことであり、
前記演出操作手段の操作があることにより、前記第二の演出手段によって行われる演出の態様が変化する、
ことを特徴とする遊技台、とした。
また本発明は、
６．
１．乃至５．のいずれか一項に記載の遊技台であって、
前記上皿ユニットが前記下皿ユニットと別体である、
ことを特徴とする遊技台、とした。
また本発明は、
７．
１．乃至６．のいずれか一項に記載の遊技台であって、
前記演出手段は、出音手段を含む、
ことを特徴とする遊技台、とした。
また本発明は、
８．
１．乃至７．のいずれか一項に記載の遊技台であって、
前記演出手段は、発光手段を含む、
ことを特徴とする遊技台、とした。
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【産業上の利用可能性】
【０３８６】
本発明に係る遊技台は、パチンコ機などに代表される遊技台に適用することができる。
【符号の説明】
【０３８７】
１００  パチンコ機
１０２  外枠
１０４  本体
２００  遊技盤
【図１】
0006546610.tif 000002
【図２】
0006546610.tif 000003
【図３】
0006546610.tif 000004
【図４】
0006546610.tif 000005
【図５】
0006546610.tif 000006
【図６】
0006546610.tif 000007
【図７】
0006546610.tif 000008
【図８】
0006546610.tif 000009
【図９】
0006546610.tif 000010
【図１０】
0006546610.tif 000011
【図１１】
0006546610.tif 000012
【図１２】
0006546610.tif 000013
【図１３】
0006546610.tif 000014
【図１４】
0006546610.tif 000015
【図１５】
0006546610.tif 000016
【図１６】
0006546610.tif 000017
【図１７】
0006546610.tif 000018
【図１８】
0006546610.tif 000019
【図１９】
0006546610.tif 000020
【図２０】
0006546610.tif 000021
【図２１】
0006546610.tif 000022
【図２２】
0006546610.tif 000023
【図２３】
0006546610.tif 000024
【図２４】
0006546610.tif 000025
【図２５】
0006546610.tif 000026
【図２６】
0006546610.tif 000027
【図２７】
0006546610.tif 000028
【図２８】
0006546610.tif 000029
【図２９】
0006546610.tif 000030
【図３０】
0006546610.tif 000031
【図３１】
0006546610.tif 000032